(57)【要約】  封入型洗浄性組成物は、コア洗浄性組成物およびコア洗浄性組成物の周りに設けられた水溶性薄膜を含む。コア洗浄性組成物はそれ自体、イオン液体、コア洗浄性組成物１００質量部あたり１０〜５０質量部の量で存在する水、ならびにキレート剤、酵素、および界面活性剤の少なくとも１種を含有する。水溶性薄膜は、コア洗浄性組成物の周りに設けられたとき、ＭＳＴＭ  ２０５に準じて蒸留水を用いて４０℃で決定された崩壊時間９０秒未満を有する。水溶性薄膜はまた、コア洗浄性組成物の周りに設けられたとき、２５℃で６カ月間依然として安定である。【特許請求の範囲】
【請求項１】
Ａ．コア洗浄性組成物であり、
イオン液体、
前記コア洗浄性組成物１００質量部あたり１０〜５０質量部の量で存在する水、ならびに
キレート剤、酵素、および界面活性剤の少なくとも１種を含むコア洗浄性組成物と、
Ｂ．前記コア洗浄性組成物の周りに設けられた水溶性薄膜と
を含む封入型洗浄性組成物であって、
前記水溶性薄膜が、前記コア洗浄性組成物の周りに設けられたとき、ＭＳＴＭ  ２０５に準じて蒸留水を用いて４０℃で決定された崩壊時間９０秒未満を有し、
前記水溶性薄膜が、前記コア洗浄性組成物の周りに設けられたとき、２５℃で６カ月間依然として安定である、封入型洗浄性組成物。
【請求項２】
前記水溶性薄膜の安定性が、２５℃で６カ月の期間、前記水溶性薄膜を介したコア洗浄性組成物の漏れがないような安定性である、請求項１に記載の封入型洗浄性組成物。
【請求項３】
前記水溶性薄膜が、ポリビニルアルコール、ポリ酢酸ビニル、８８〜９８％加水分解されたポリ酢酸ビニル、ゼラチン、またはその組合せである、請求項１または２に記載の封入型洗浄性組成物。
【請求項４】
前記コア洗浄性組成物が、本質的に前記イオン液体、前記水、および前記キレート剤からなる、請求項１から３のいずれか一項に記載の封入型洗浄性組成物。
【請求項５】
前記コア洗浄性組成物が、本質的に前記イオン液体、前記水、および前記酵素からなる、請求項１から３のいずれか一項に記載の封入型洗浄性組成物。
【請求項６】
前記コア洗浄性組成物が、本質的に前記イオン液体、前記水、および前記界面活性剤からなる、請求項１から３のいずれか一項に記載の封入型洗浄性組成物。
【請求項７】
前記コア洗浄性組成物が、本質的に前記イオン液体、前記水、前記キレート剤、前記酵素、および前記界面活性剤からなる、請求項１から３のいずれか一項に記載の封入型洗浄性組成物。
【請求項８】
前記コア洗浄性組成物が、本質的に前記イオン液体、前記水、前記キレート剤、前記酵素、および前記界面活性剤からなる、請求項１から３のいずれか一項に記載の封入型洗浄性組成物。
【請求項９】
前記コア洗浄性組成物が、溶媒をさらに含む、またはさらに本質的に溶媒からなる、請求項１から８のいずれか一項に記載の封入型洗浄性組成物。
【請求項１０】
前記コア洗浄性組成物が、ポリマーをさらに含む、またはさらに本質的にポリマーからなる、請求項１から９のいずれか一項に記載の封入型洗浄性組成物。
【請求項１１】
前記イオン液体が、トリス（２−ヒドロキシエチル）メチル−アンモニウムメチルサルフェートである、請求項１から１０のいずれか一項に記載の封入型洗浄性組成物。
【請求項１２】
前記キレート剤が、液体または固体形態の、アルカリ土類塩（Ｎａ、Ｋ、Ｌｉ）または前記アルカリ土類塩の混合物としてのメチルグリシン二酢酸ある、請求項１から４または７から１０のいずれか一項に記載の封入型洗浄性組成物。
【請求項１３】
前記酵素が、アミラーゼ、プロテアーゼ、またはその組合せである、請求項１から５または７から１１のいずれか一項に記載の封入型洗浄性組成物。
【請求項１４】
前記界面活性剤が、アルコールアルコキシレート、アルキル／アリールエーテル硫酸塩、アルキル／アリールスルホン酸塩、アルキル／アリール硫酸塩、アルキルベタイン、Ｃ１２〜Ｃ１８ジアルキル第四級アンモニウム塩、エチレンオキシド／プロピレンオキシドブロックコポリマー、およびその組合せから選択される、請求項１から３または６から１２のいずれか一項に記載の封入型洗浄性組成物。
【請求項１５】
前記溶媒が、プロピレングリコール、エチレングリコール、ブチレングリコール、およびそのモノエーテルまたはジエーテル、グライム、ジグライム、トリグライム、６００ｇ／モルまでの質量平均分子量を有するポリエチレングリコール、１，３−プロパンジオール、１，４−ブタンジオール、グリセリン、およびその組合せから選択される、請求項９に記載の封入型洗浄性組成物。
【請求項１６】
請求項１から１５のいずれか一項に記載の封入型洗浄性組成物を形成する方法。
【請求項１７】
コア洗浄性組成物で、イオン液体、前記コア洗浄性組成物１００質量部あたり１０〜５０質量部の量で存在する水、ならびにキレート剤、酵素、および界面活性剤の少なくとも１種を含むコア洗浄性組成物と、前記コア洗浄性組成物の周りに設けられた水溶性薄膜とを含む封入型洗浄性組成物であり、前記水溶性薄膜が、前記コア洗浄性組成物の周りに設けられたとき、ＭＳＴＭ  ２０５に準じて蒸留水を用いて４０℃で決定された崩壊時間９０秒未満を有し、前記水溶性薄膜が、前記コア洗浄性組成物の周りに設けられたとき、２５℃で６カ月間依然として安定である、封入型洗浄性組成物を形成する方法であって、
前記コア洗浄性組成物を用意する工程と、
前記コア洗浄性組成物の周りに前記水溶性薄膜を設ける工程とを含む、方法。
【請求項１８】
Ａ．コア洗浄性組成物であり、
イオン液体、
前記コア洗浄性組成物１００質量部あたり１０〜２０質量部の量で存在する水、
キレート剤、および
２種以上の酵素を含むコア洗浄性組成物と、
Ｂ．前記コア洗浄性組成物の周りに設けられた水溶性薄膜と
を含む封入型洗浄性組成物であって、
前記水溶性薄膜が、前記コア洗浄性組成物の周りに設けられたとき、ＭＳＴＭ  ２０５に準じて蒸留水を用いて４０℃で決定された崩壊時間９０秒未満を有し、
前記水溶性薄膜が、前記コア洗浄性組成物の周りに設けられたとき、２５℃で６カ月間依然として安定である、封入型洗浄性組成物。
【請求項１９】
前記水溶性薄膜が、ポリビニルアルコール、ポリ酢酸ビニル、８８〜９８％加水分解されたポリ酢酸ビニル、ゼラチン、またはその組合せである、請求項１８に記載の封入型洗浄性組成物。
【請求項２０】
前記キレート剤が、メチルグリシン二酢酸であり、前記２種以上の酵素が、アミラーゼおよびプロテアーゼを含み、前記イオン液体がトリス（２−ヒドロキシエチル）メチル−アンモニウムメチルサルフェートである、請求項１８または１９に記載の封入型洗浄性組成物。
【発明の詳細な説明】
【技術分野】
【０００１】
本開示は、一般に封入型洗浄性組成物に関する。より詳細には、本開示は、イオン液体、およびコア洗浄性組成物の周りに設けられた水溶性薄膜を含むコア洗浄性組成物を含む、封入型洗浄性組成物に関する。
【背景技術】
【０００２】
液体環境中の酵素は、安定化が難しい可能性があり、高温で、および／または時間経過と共に分解し、活性を喪失する傾向がある。洗剤、浄化槽処理、およびドレインクリーナーなどのいくつかの製品には、性能の主原料として酵素を使用し、水溶性薄膜パウチ（例えば、ポリビニルアルコール（ＰＶＡ）パウチ）内にその酵素配合物を詰め込むこともある。しかし、酵素配合物が液体またはゲルであるとき、溶媒は、通常、酵素および他の配合物原料を分散させるか、または溶解させることを求められる。この溶解を容易にするためにごく少量の水を使用することができるが、水は、パウチに悪影響を及ぼし、パウチを時期尚早に溶解させ、それによって製品を台なしにする。グリコール、短鎖アルコール、およびグリコールエーテル（例えば、プロピレングリコール、ブチレングリコール、グリセリン）などの他の溶媒もまた、溶媒として用いることができる。しかし、これらの溶媒を用いる場合、溶媒は、パウチを可塑化し、変形させる恐れがあり、やはり製品を台なしにする。さらに、これらの溶媒は、配合物原料の多くに対して貧溶媒である傾向がある。したがって、改良製品を開発する機会が残されている。
【発明の概要】
【課題を解決するための手段】
【０００３】
本開示は、コア洗浄性組成物、およびコア洗浄性組成物の周りに設けられた水溶性薄膜を含む封入型洗浄性組成物を提供する。コア洗浄性組成物はそれ自体、イオン液体、コア洗浄性組成物１００質量部あたり１０〜５０質量部の量で存在する水、ならびにキレート剤、酵素、および界面活性剤の少なくとも１種を含む。水溶性薄膜は、コア洗浄性組成物の周りに設けられたとき、ＭＳＴＭ  ２０５に準じて蒸留水を用いて４０℃で決定された崩壊時間９０秒未満を有する。水溶性薄膜はまた、コア洗浄性組成物の周りに設けられたとき、２５℃で６カ月間依然として安定である。
【０００４】
本開示の他の利点は、添付の図面と関連して考慮されるとき、以下の詳細な説明を参照することによってより適切に理解されるので、容易に認識されるであろう。
【図面の簡単な説明】
【０００５】
【図１】ＡＳＴＭ  Ｄ３５５６に準じて評価された様々な実施例のすすぎ効率を示す棒グラフである。
【図２】ＡＳＴＭ  Ｄ３５５６に準じて評価された追加の実施例のすすぎ効率を示す棒グラフである。
【図３】ＡＳＴＭ  Ｄ３５５６に準じて評価された様々な比較例のすすぎ効率を示す棒グラフである。
【図４】様々な実施例の、酵素安定性および汚れ除去のパーセント変化を示す棒グラフである。
【図５】組成物１６〜１９の周りに設けられたときの、２５℃蒸留水中で４２日目の、Ｍｏｎｏｄｏｓｅ（登録商標）Ｍ８６３０水溶性薄膜の崩壊を示す棒グラフである。
【図６】組成物１６〜１９の周りに設けられたときの、２５℃蒸留水中で４２日目の、Ｍｏｎｏｄｏｓｅ（登録商標）Ｍ８３１０水溶性薄膜の崩壊を示す棒グラフである。
【図７】組成物１６〜１９の周りに設けられたときの、２５℃蒸留水中で４２日目の、Ｍｏｎｏｄｏｓｅ（登録商標）Ｍ８９００水溶性薄膜の崩壊を示す棒グラフである。
【発明を実施するための形態】
【０００６】
本開示は、コア洗浄性組成物、およびコア洗浄性組成物の周りに設けられた水溶性薄膜を含む封入型洗浄性組成物を提供する。用語「設けられた」は、水溶性薄膜によるコア洗浄性組成物の部分的被覆、および完全被覆の両方を包含することができると理解されたい。水溶性薄膜によるコア洗浄性組成物の部分的被覆または完全被覆により、コア洗浄性組成物が封入され、それによって封入型洗浄性組成物が形成される。様々な実施形態において、コア洗浄性組成物は、例えば水溶性薄膜の１個または複数の層によって完全にまたは部分的に封入される。様々な実施形態において、水溶性薄膜の１、２、３、４、または５個の層が利用される。これらの層のそれぞれ１個は独立して、いずれか１個もしくは複数の他の層と直接接して設けられ、または複数の層のいずれか１個から間隔をおいて設けられる可能性がある。
【０００７】
コア洗浄性組成物
コア洗浄性組成物は、イオン液体、コア洗浄性組成物１００質量部あたり１０〜５０質量部の量で存在する水、ならびにキレート剤、酵素、および界面活性剤の少なくとも１種を含む。それぞれは、以下により詳細に説明される。言い換えれば、コア洗浄性組成物は、キレート剤および酵素、キレート剤および界面活性剤、酵素および界面活性剤、酵素および／または界面活性剤を伴わずにキレート剤、キレート剤および／または界面活性剤を伴わずに酵素、あるいは酵素および／またはキレート剤を伴わずに界面活性剤を含むことができる。
【０００８】
様々な実施形態において、コア洗浄性組成物は、イオン液体、水、およびキレート剤であり、イオン液体、水、およびキレート剤を含み、本質的にイオン液体、水、およびキレート剤からなり、またはイオン液体、水、およびキレート剤からなる。他の実施形態において、コア洗浄性組成物は、イオン液体、水、および酵素であり、イオン液体、水、および酵素を含み、本質的にイオン液体、水、および酵素からなり、またはイオン液体、水、および酵素からなる。さらなる実施形態において、コア洗浄性組成物は、イオン液体、水、および界面活性剤であり、イオン液体、水、および界面活性剤を含み、本質的にイオン液体、水、および界面活性剤からなり、またはイオン液体、水、および界面活性剤からなる。またさらなる実施形態において、コア洗浄性組成物は、イオン液体、水、キレート剤、酵素、および界面活性剤であり、イオン液体、水、キレート剤、酵素、および界面活性剤を含み、本質的にイオン液体、水、キレート剤、酵素、および界面活性剤からなり、またはイオン液体、水、キレート剤、酵素、および界面活性剤からなる。あるいは、コア洗浄性組成物は、イオン液体、水、キレート剤、酵素、および界面活性剤であってもよく、イオン液体、水、キレート剤、酵素、および界面活性剤を含んでもよく、本質的にイオン液体、水、キレート剤、酵素、および界面活性剤からなってもよく、またはイオン液体、水、キレート剤、酵素、および界面活性剤からなってもよい。他の実施形態において、コア洗浄性組成物は、１種または複数の上記成分に加えて、溶媒および／もしくはポリマーをさらに含み、さらに本質的に溶媒および／もしくはポリマーからなり、またはさらに溶媒および／もしくはポリマーからなる。用語「本質的に〜からなる」は、コア洗浄性組成物が、列挙された成分を含むが、列挙された成分を直接妨げる恐れのある他の成分を含まない実施形態を記載する。例えば、コア洗浄性組成物は、本明細書に記載されていない、イオン液体、キレート剤、酵素、界面活性剤、ポリマー、および／またはいずれの任意の成分を含まなくてもよい。
【０００９】
イオン液体
イオン液体は、典型的には、１００、９５、９０、８５、８０、７５、７０、６５、６０、５５、５０、４５、４０、３５、３０、もしくは２５℃以下の融点を有する塩であり、または代替的な実施形態において、６０、５５、５０、もしくは４５℃以下の融点を有する塩であり、またはさらに他の代替的な実施形態において、４０、３５、もしくは３０℃以下の融点を有する塩である。別の実施形態において、イオン液体は、室温、例えば２５℃で液体である塩である。他の実施形態において、イオン液体は、（例えば、ＤＳＣ分析に基づいて）識別可能な融点を示さず、１００、９５、９０、８５、８０、７５、７０、６５、６０、５５、５０、４５、４０、３５、３０、もしくは２５℃以下の温度で「流動性」であり、または他の実施形態において、２０℃〜８０℃、２５℃〜７５℃、３０℃〜７０℃、３５℃〜６５℃、４０℃〜６０℃、４５℃〜５５℃、もしくは５０℃〜５５℃の温度で「流動性」である。様々な実施形態において、用語「流動性」および／または用語「液体」は、イオン液体が上記温度で１０，０００、９，０００、８，０００、７，０００、６，０００、５，０００、４，０００、３，０００、２，０００、または１，０００ｍＰａ・ｓ未満の粘度を示すことを記載する。イオン流体の粘度は、スピンドルＳ３１番を備えたブルックフィールド粘度計型番ＬＶＤＶＩＩ＋で、２０℃で、様々な粘度の材料を測定するのに適切な速度で測定することができる。粘度測定をする前に、イオン液体を、乾燥剤（例えば、塩化カルシウム）を含んだデシケータ内において室温で少なくとも４８時間保管することによって、試料を予め調整することができる。この平衡期間により、イオン液体試料に本来備わっている含水量が一つにまとまる。全ての値、ならびに上記値間の値の範囲および上記値を含む値の範囲は、様々な非制限的な実施形態において、本明細書によって明確に企図されている。
【００１０】
用語「イオン液体」、「イオン化合物」、および「ＩＬ」は、イオン液体、イオン液体複合体、およびイオン液体の混合物を包含することができる。イオン液体は、アニオン性ＩＬ成分およびカチオン性ＩＬ成分を含むことができる。イオン液体が液体形態であるとき、これらの成分は、互いに自由に会合することができる。一実施形態において、本開示は、２種以上の、典型的には少なくとも３種の、異なる荷電ＩＬ成分の混合物をもたらし、但し、少なくとも１種のＩＬ成分がカチオン性であり、少なくとも１種のＩＬ成分がアニオン性である。したがって、混合物中で３種のカチオン性ＩＬ成分とアニオン性ＩＬ成分を対にすることによって、少なくとも２種の異なるイオン液体がもたらされることになる。イオン液体の混合物は、異なるＩＬ成分を有する個々のイオン液体を混合することによって、またはコンビナトリアルケミストリーを介して混合物を製造することによって、製造することができる。こうした組合せおよびその製造は、ＵＳ２００４／００７７５１９Ａ１およびＵＳ２００４／００９７７５５Ａ１にさらに詳細に記載されており、１つまたは複数の非制限的な実施形態において、それぞれが参照によって本明細書に明確に組み込まれている。本明細書で用いられるように、用語「イオン液体複合体」は、典型的には、直前に掲げた参考文献に記載されているように、（室温で固体であることができる）塩と（液体または固体であることができる）プロトン供与体Ｚとの混合物を記載する。混合すると、これらの成分は１００℃以下で液体へ変わることができ、混合物は典型的にはイオン液体のように挙動する。
【００１１】
様々な実施形態において、本明細書で用いるのに好適なイオン液体は、様々なアニオンとカチオンの組合せを有することができ、または様々なアニオンとカチオンの組合せであることができる。所望に応じて、所望の溶媒和特性、粘度、融点、および他の特性をもたらすように、イオン液体の特性を特定の用途に対して合わせられるように、アニオンおよびカチオンを調整し、混合することができる。本明細書で用いられ得るイオン液体の非制限的な例は、米国特許第６，０４８，３８８号、第５，８２７，６０２号、ＵＳ２００３／９１５７３５Ａ１、ＵＳ２００４／０００７６９３Ａ１、ＵＳ２００４／００３１２０、ＵＳ２００４／００３５２９３Ａ１、ＷＯ０２／２６７０１、ＷＯ０３／０７４４９４、ＷＯ０３／０２２８１２、およびＷＯ０４／０１６５７０において記載されており、１つまたは複数の非制限的な実施形態において、それぞれが参照によって本明細書に明確に組み込まれている。他の実施形態において、以下のアニオンおよびカチオンの１種または複数を利用することができる。
【００１２】
アニオン
アルキルまたはアルコキシが、直鎖状、分枝鎖状またはその混合物である、アルキル硫酸塩（ＡＳ）、アルコキシ硫酸塩、およびアルキルアルコキシ硫酸塩を利用することができる。さらに、硫酸基の、アルキル鎖への結合は、アルキル鎖の末端（ＡＳ）、アルキル鎖の内部（ＳＡＳ）、またはその混合物であることができる。非制限的な例には、式：ＣＨ３（ＣＨ２）ｘ＋ｙＣＨ２ＯＳＯ３−Ｍ＋（式中、ｘ＋ｙは、少なくとも８の、典型的には少なくとも１０の整数であり、Ｍ＋は、本明細書で詳細に説明されたイオン液体のカチオンから選択されるカチオンである）を有する直鎖状Ｃ１０〜Ｃ２０アルキル硫酸塩、または式：
【化１】
2017528569.tif 000002
（式中、ｘ＋ｙは、少なくとも７の、典型的には少なくとも９の整数であり、ｘもしくはｙは０であることができる）を有する直鎖状Ｃ１０〜Ｃ２０第二級アルキル硫酸塩が挙げられる。あるいは、Ｍ＋は本明細書で詳細に説明されたイオン液体のカチオンから選択されるカチオンであり、または式：
【化２】
2017528569.tif 000003
（式中、ｘ＋ｙは、少なくとも７の、典型的には少なくとも９の整数であり、ｘもしくはｙは０であることができる）を有するＣ１０〜Ｃ２０第二級アルキルエトキシ硫酸塩が挙げられる。あるいは、Ｍ＋は本明細書で詳細に説明されたイオン液体のカチオンから選択されるカチオンである。アルコキシ硫酸塩の非制限的な例には、市販されているアルコキシコポリマー、例えばＰｌｕｒｏｎｉｃｓ（登録商標）（ＢＡＳＦ製）の硫酸化誘導体が挙げられる。
【００１３】
スルホコハク酸塩のモノエステルおよびジエステルもまた用いることができる。非制限的な例には、飽和および不飽和のＣ１２〜Ｃ１８モノエステルスルホコハク酸塩、例えば、Ｍａｃｋａｎａｔｅ  ＬＯ−１００（登録商標）（Ｔｈｅ  ＭｃＩｎｔｙｒｅ  Ｇｒｏｕｐ製）として入手可能なラウリルスルホコハク酸塩、飽和および不飽和のＣ６〜Ｃ１２ジエステルスルホコハク酸塩、例えば、Ａｅｒｏｓｏｌ  ＯＴ（登録商標）（Ｃｙｔｅｃ  Ｉｎｄｕｓｔｒｉｅｓ，Ｉｎｃ．製）として入手可能なジオクチルエステルスルホコハク酸塩が挙げられる。メチルエステルスルホン酸塩（ＭＥＳ）を利用することもできる。
【００１４】
あるいは、アルキルアリールスルホン酸塩を利用することができる。非制限的な例には、トシル酸塩、直鎖状または分枝鎖状の、飽和または不飽和のＣ８〜Ｃ１４アルキルを有するアルキルアリールスルホン酸塩、アルキルベンゼンスルホン酸塩（ＬＡＳ）、例えばＣ１１〜Ｃ１８アルキルベンゼンスルホン酸塩、ベンゼン、クメン、トルエン、キシレン、ｔ−ブチルベンゼン、ジイソプロピルベンゼン、またはイソプロピルベンゼンのスルホン酸塩、ナフタレンスルホン酸塩、およびＣ６〜Ｃ１４アルキルナフタレンスルホン酸塩、例えばＰｅｔｒｏ（登録商標）（Ａｋｚｏ  Ｎｏｂｅｌ  Ｓｕｒｆａｃｅ  Ｃｈｅｍｉｓｔｒｙ製）、石油のスルホン酸塩、例えばＭｏｎａｌｕｂｅ  ６０５（登録商標）（Ｕｎｉｑｅｍａ製）が挙げられる。
【００１５】
アルキル部分に８〜２２個の炭素原子を有するアルキルグリセロールエーテルスルホン酸塩を利用することもできる。
【００１６】
さらに、ジフェニルエーテル（ビス−フェニル）誘導体を用いることができる。非制限的な例には、トリクロサン（２，４，４’−トリクロロ−２’−ヒドロキシジフェニルエーテル）およびジクロサン（４，４’−ジクロロ−２−ヒドロキシジフェニルエーテル）が挙げられ、共にＣｉｂａ  Ｓｐｅｃｉａｌｔｙ  Ｃｈｅｍｉｃａｌｓ製のＩｒｇａｓａｎ（登録商標）として入手可能である。
【００１７】
直鎖状または環状のカルボン酸塩を用いることができる。非制限的な例には、クエン酸塩、乳酸塩、酒石酸塩、コハク酸塩、アルキレンコハク酸塩、マレイン酸塩、グルコン酸塩、蟻酸塩、桂皮酸塩、安息香酸塩、酢酸塩、サリチル酸塩、フタル酸塩、アスパラギン酸塩、アジピン酸塩、アセチルサリチル酸塩、３−メチルサリチル酸塩、４−ヒドロキシイソフタル酸塩、ジヒドロキシフマル酸塩、１，２，４−ベンゼントリカルボン酸塩、ペンタン酸塩（ｐｅｎｔａｎｏａｔｅ）、およびその組合せが挙げられる。
【００１８】
アルキルオキシアルキレンカルボン酸塩を用いることができる。非制限的な例には、典型的には１〜５個のエトキシ単位を含むＣ１０〜Ｃ１８アルキルアルコキシカルボン酸塩が挙げられる。
【００１９】
アルキル酸化ジフェニルモノスルホン酸塩を用いることができる。非制限的な例には、一般式：
【化３】
2017528569.tif 000004
（式中、Ｒ１はＣ１０〜Ｃ１８の直鎖状または分枝鎖状のアルキルであり、Ｒ２およびＲ３は独立してＳＯ３−またはＨであり、但し、Ｒ２またはＲ３の少なくとも一方は水素ではなく、Ｒ４はＲ１またはＨである）のアルキル酸化ジフェニルモノスルホン酸塩が挙げられる。好適なアルキル酸化ジフェニルモノスルホン酸塩は、Ｄｏｗ  Ｃｈｅｍｉｃａｌ製のＤＯＷＦＡＸ（登録商標）およびＯｌｉｎ  Ｃｏｒｐ製のＰＯＬＹ−ＴＥＲＧＥＮＴ（登録商標）として入手可能である。
【００２０】
中鎖分枝アルキル硫酸塩（ＨＳＡＳ）、中鎖分枝アルキルアリールスルホン酸塩（ＭＬＡＳ）、および中鎖分枝アルキルポリオキシアルキレン硫酸塩を用いることができる。ＭＬＡＳの非制限的な例は、米国特許第６，５９６，６８０号、第６，５９３，２８５号、および第６，２０２，３０３号に開示されており、１つまたは複数の非制限的な実施形態において、それぞれが参照によって本明細書に明確に組み込まれている。
【００２１】
αオレフィンスルホン酸塩（ＡＯＳ）およびパラフィンスルホン酸塩もまた利用することができる。非制限的な例には、Ｓｔｅｐａｎ  Ｃｏｍｐａｎｙ製のＢｉｏ  Ｔｅｒｇｅ  ＡＳ−４０（登録商標）として入手可能であるＣ１０〜Ｃ２２α−オレフィンスルホン酸塩が挙げられる。
【００２２】
アルキルリン酸エステルを用いることができる。非制限的な例には、Ａｋｚｏ  Ｎｏｂｅｌ  Ｓｕｒｆａｃｅ  Ｃｈｅｍｉｓｔｒｙ  ＬＬＣ製のＥｍｐｈｏｓ  ＣＳ（登録商標）およびＥｍｐｈｏｓ  ＴＳ−２３０（登録商標）として入手可能であるＣ８〜Ｃ２２アルキルリン酸塩が挙げられる。
【００２３】
一般式ＲＣＯＮ（ＣＨ３）ＣＨ２ＣＯ２−（式中、Ｒは、Ｃ８〜Ｃ２０のアルキルである）を有するサルコシン酸塩を用いることができる。非制限的な例には、Ｄｏｗ  Ｃｈｅｍｉｃａｌｓ製のＨａｍｐｏｓｙｌ  ＡＬ−３０（登録商標）として入手可能であるラウロイルサルコシン酸アンモニウム、およびＤｏｗ  Ｃｈｅｍｉｃａｌ製のＨａｍｐｏｓｙｌ  Ｏ（登録商標）として入手可能であるオレオイルサルコシン酸ナトリウムが挙げられる。
【００２４】
タウリン酸塩、例えばココメチルタウライドナトリウム（ｓｏｄｉｕｍ  ｃｏｃｏ  ｍｅｔｈｙｌ  ｔａｕｒｉｄｅ）またはＲｈｏｄｉａ，Ｉｎｃ製のＧｅｒｏｐｏｎ  ＴＣ（登録商標）として入手可能であるＣ８〜Ｃ２２アルキルタウリン酸塩を利用することもできる。
【００２５】
直鎖状または分枝鎖状の、硫酸化およびスルホン化された油および脂肪酸、例えば、Ｎｏｒｍａｎ，Ｆｏｘ＆Ｃｏ製のＮｏｒｆｏｘ  １１０１（登録商標）として入手可能であるココナッツオイルカリウム石鹸、およびＣｈｅｍｒｏｎ  Ｃｏｒｐ．製のオレイン酸カリウムから誘導された硫酸塩またはスルホン酸塩を用いることもできる。
【００２６】
アルキルフェノールエトキシ硫酸塩およびアルキルフェノールエトキシスルホン酸塩、例えばＣ８〜Ｃ１４アルキルフェノールエトキシ硫酸塩およびＣ８〜Ｃ１４アルキルフェノールエトキシスルホン酸塩を用いることができる。非制限的な例には、Ｄｏｗ  Ｃｈｅｍｉｃａｌ製のＴｒｉｔｏｎ  ＸＮ−４５Ｓ（登録商標）として入手可能である硫酸化ノニルフェノールエトキシレートが挙げられる。
【００２７】
式：Ｒ１ＣＨ（ＳＯ３−）ＣＯ２Ｒ２を有する脂肪酸エステルスルホン酸塩を用いることができ、式中、Ｒ１は直鎖状または分枝鎖状のＣ８〜Ｃ１８アルキル基であり、Ｒ２は直鎖状または分枝鎖状のＣ１〜Ｃ６アルキル基である。
【００２８】
次式を有する置換サリチルアニリドアニオンを用いることもでき、
【化４】
2017528569.tif 000005
式中、ｍは０〜４の整数であり、ｎは０〜５の整数であり、ｍ＋ｎの合計は０よりも大きく、ａは０または１であり、ｂは０または１であり、ｇは０または１であり、ｂが０であるとき、ａおよびｇのうち一方が０であらねばならず、ＺおよびＺ’は独立して、ＯおよびＳから選択され、ＸおよびＸ’は、存在するとき、Ｏ、Ｓ、およびＮＲ１から選択され、Ｒ１は独立して、Ｈ、Ｃ１〜Ｃ１６の、直鎖状または分枝鎖状の、置換または非置換の、アルキル、アルケニル、アルキニル、シクロアルキル、シクロアルケニル、アルカリール、アラルキル、およびアリールから選択され、Ｔは、存在するとき、Ｃ＝Ｏ、Ｃ＝Ｓ、Ｓ＝Ｏ、およびＳＯ２から選択され、ＴがＳ＝ＯまたはＳＯ２であるとき、ＸおよびＸ’はＳでなくてもよく、ラジカルＲ−（Ｘ）ａ−（Ｔ）ｂ−（Ｘ’）ｇ−について、ａ、ｂ、またはｇのいずれかが１であるとき、そのラジカルのＲは独立して、Ｈ、Ｃ１〜Ｃ１６の、直鎖状または分枝鎖状の、置換または非置換の、アルキル、アルケニル、アルキニル、シクロアルキル、シクロアルケニル、アルカリール、アラルキル、およびアリールから選択され、ラジカルについてａ、ｂ、およびｇが全て０であるとき、そのラジカルのＲを、Ｆ、Ｃｌ、Ｂｒ、Ｉ、ＣＮ、Ｒ２ＮＯ、ＮＯ２からさらに選択することができ、ａ、ｂ、およびｇの全てが０であるとき、少なくとも１個のＲがＨであってはならず、Ｒに存在するものを除いた、分子のハロゲン原子の総数が２を超えないことをさらに条件とし、Ｒ２は独立して、Ｃ１〜Ｃ１６の、直鎖状または分枝鎖状の、置換または非置換の、アルキル、アルケニル、アルキニル、シクロアルキル、シクロアルケニル、アルカリール、アラルキル、およびアリール、ならびにその混合物から選択され、１個の、または両方の芳香環が追加の置換基を含む、誘導体化置換サリチルアニリドアニオンもまた本明細書で用いるのに好適である。置換サリチルアニリドおよびその誘導体は、ＵＳ２００２／００６８０１４Ａ１およびＷＯ０４／０２６８２１に開示されており、１つまたは複数の非制限的な実施形態において、それぞれが参照によって本明細書に明確に組み込まれている。さらにＭ＋は、本明細書で開示されたイオン液体のカチオンから選択されるカチオンである。
【００２９】
次式を有する置換フェノールアニオンまたは置換チオフェノールアニオンを用いることもでき、
【化５】
2017528569.tif 000006
式中、ｍは０〜４の整数であり、ａは０または１であり、ｂは０または１であり、ｇは０または１であり、ｂが０であるとき、ａおよびｇのうち一方が０であらねばならず、ＺはＯおよびＳから選択され、ＸおよびＸ’は、存在するとき、Ｏ、Ｓ、およびＮＲ１から選択され、ラジカルＲ−（Ｘ）ａ−（Ｔ）ｂ−（Ｘ’）ｇ−について、ａ、ｂまたはｇのいずれかが１であるとき、そのラジカルのＲは独立して、Ｈ、Ｃ１〜Ｃ１６の、直鎖状または分枝鎖状の、置換または非置換の、アルキル、アルケニル、アルキニル、シクロアルキル、シクロアルケニル、アルカリール、アラルキル、およびアリールから選択され、ラジカルについてａ、ｂ、およびｇが全て０であるとき、そのラジカルのＲは、Ｆ、Ｃｌ、Ｂｒ、Ｉ、ＣＮ、Ｒ２ＮＯ、ＮＯ２からさらに選択することができ、Ｔは、存在するとき、Ｃ＝Ｏ、Ｃ＝Ｓ、Ｓ＝Ｏ、およびＳＯ２から選択され、ＴがＳ＝ＯまたはＳＯ２であるとき、ＸおよびＸ’はＳでなくてもよく、Ｙは、少なくとも１個の、しかし２０個以下の炭素原子を含み、置換基−Ｘ’’−Ｈを含むラジカルであり、Ｘ’’は、Ｏ、Ｓ、およびＮ−（Ｔ’）ｂ’−（Ｘ’’’）ａ’−Ｒ２から選択され、式中、ａ’は０または１であり、ｂ’は０または１であり、Ｘ’’’は、存在するとき、Ｏ、Ｓ、およびＮＲ２から選択され、Ｒ２は独立して、Ｈ、Ｃ１〜Ｃ１６の、直鎖状または分枝鎖状の、置換または非置換の、アルキル、アルケニル、アルキニル、シクロアルキル、シクロアルケニル、アルカリール、アラルキル、およびアリールから選択され、Ｔ’は、存在するとき、Ｃ＝Ｏ、Ｃ＝Ｓ、およびＳＯ２から選択され、Ｔ’がＳＯ２’であるとき、Ｘ’’’はＳでなくてもよく、Ｒ３は独立して、Ｃ１〜Ｃ１６の、直鎖状または分枝鎖状の、置換または非置換の、アルキル、アルケニル、アルキニル、シクロアルキル、シクロアルケニル、アルカリール、アラルキル、およびアリール、ならびにその混合物から選択される。置換フェノールアニオンまたは置換チオフェノールアニオンは、ＵＳ２００２／００６８０１４Ａ１およびＷＯ０４／０２６８２１に開示されており、１つまたは複数の非制限的な実施形態において、それぞれが参照によって本明細書に明確に組み込まれている。さらにＭ＋は、本明細書で開示されたイオン液体のカチオンから選択されるカチオンである。
【００３０】
ポリアミノポリカルボン酸塩もまた用いることができる。非制限的な例には、エチレンエチレンジアミン四酢酸塩（ＥＤＴＡ）、ジアミン四酢酸塩、Ｎ−ヒドロキシエチルエチレンジアミン三酢酸塩、ニトリロ−三−酢酸塩、エチレンジアミン四プロピオン酸塩、トリエチレンテトラアミン六酢酸塩、ジエチレントリアミン五酢酸塩、およびエタノールジグリシンが挙げられる。
【００３１】
アミノポリホスホン酸塩、例えばエチレンジアミンテトラメチレンホスホン酸塩、およびジエチレントリアミンペンタメチレン−ホスホン酸塩を用いることもできる。
【００３２】
さらに、以下に示すように、サッカリン酸塩およびアセスルファメートなどの甘味料由来アニオンを用いることもできる：
【化６】
2017528569.tif 000007
（式中、Ｍ＋は、本明細書に記載されたイオン液体のカチオンから選択されるカチオンである）。
【００３３】
さらに、エトキシル化アミド硫酸塩、トリポリリン酸ナトリウム（ＳＴＰＰ）、二水素リン酸塩、フルロアルキルスルホン酸塩、ビス−（アルキルスルホニル）アミン、ビス−（フルオロアルキルスルホニル）アミド、（フルロアルキルスルホニル）（フルオロアルキルカルボニル）アミド、ビス（アリールスルホニル）アミド、炭酸塩、テトラフルオロホウ酸塩（ＢＦ４−）、ヘキサフルオロリン酸塩（ＰＦ６−）を用いることができる。
【００３４】
さらに、一般式Ｒ１−ＣＯ−Ｏ−Ｃ６Ｈ４−Ｒ２を有するアニオン性漂白活性剤を用いることができ、式中、Ｒ１はＣ８〜Ｃ１８アルキル、Ｃ８〜Ｃ１８アミノアルキル、またはその混合物であり、Ｒ２はスルホン酸塩または炭酸塩である。非制限的な例には、
【化７】
2017528569.tif 000008
が挙げられ、これらは、米国特許第５，８９１，８３８号、第６，４４８，４３０号、第５，８９１，８３８号、第６，１５９，９１９号、第６，４４８，４３０号、第５，８４３，８７９号、および第６，５４８，４６７号に開示されており、１つまたは複数の非制限的な実施形態において、それぞれが参照によって本明細書に明確に組み込まれている。
【００３５】
カチオン
本開示のイオン液体に用いるのに好適なカチオンには、それらに限定されないが、以下のものが含まれる：
アミンオキシド、ホスフィンオキシド、またはスルホキシドのカチオン（すなわち、プロトン化されたカチオン形態）を用いることができる。非制限的な例には、１個のＣ８〜Ｃ１８アルキル部分と、Ｃ１〜Ｃ３アルキル基およびＣ１〜Ｃ３ヒドロキシアルキル基から選択される２個の部分とを含むアミンオキシドカチオン、１個のＣ１０〜Ｃ１８アルキル部分と、Ｃ１〜Ｃ３アルキル基およびＣ１〜Ｃ３ヒドロキシアルキル基から選択される２個の部分とを含むホスフィンオキシドカチオン、ならびに１個のＣ１０〜Ｃ１８アルキル部分と、Ｃ１〜Ｃ３アルキル部分およびＣ１〜Ｃ３ヒドロキシアルキル部分から選択される部分とを含むスルホキシドカチオンが挙げられる。いくつかの実施形態において、アミンオキシドカチオンは次式：
【化８】
2017528569.tif 000009
（式中、Ｒ３はＣ８〜Ｃ２２アルキル、Ｃ８〜Ｃ２２ヒドロキシアルキル、Ｃ８〜Ｃ２２アルキルフェニル基、およびその混合物であり、Ｒ４はＣ２〜Ｃ３アルキレン基もしくはＣ２〜Ｃ３ヒドロキシアルキレン基、またはその混合物であり、ｘは０〜３であり、Ｒ５はそれぞれ独立して、Ｃ１〜Ｃ３アルキル基またはＣ１〜Ｃ３ヒドロキシアルキル基、または平均１〜３個のエチレンオキシド基を含んだポリエチレンオキシド基である）を有する。Ｒ５基は、例えば酸素原子または窒素原子を介して互いに結合して、環構造を形成することができる。他のアミンオキシドカチオンには、Ｃ１０〜Ｃ１８、Ｃ１０、Ｃ１０〜Ｃ１２、およびＣ１２〜Ｃ１４のアルキルジメチルアミンオキシドカチオン、ならびにＣ８〜Ｃ１２アルコキシエチルジヒドロキシエチルアミンオキシドカチオンが挙げられる。
【００３６】
一般式：Ｒ−Ｎ（＋）（Ｒ１）２−Ｒ２ＣＯＯＨを有するベタインを用いることもでき、式中、Ｒは、１０〜２２個の炭素原子、典型的には１２〜１８個の炭素原子を含むアルキル基、ベンゼン環が２個の炭素原子と等しく扱われ、アミド結合またはエーテル結合によって阻害された同様の構造を有する、同じ数の炭素原子を含んだ、アルキルアリール基およびアリールアルキル基から選択され、Ｒ１はそれぞれ１〜３個の炭素原子を含むアルキル基であり、Ｒ２は１〜６個の炭素原子を含むアルキレン基である。ベタインの非制限的な例には、米国特許第３，９５０，４１７号、第４，１３７，１９１号、および第４，３７５，４２１号、ならびに英国特許第２，１０３，２３６号に開示された、ドデシルジメチルベタイン、アセチルジメチルベタイン、ドデシルアミドプロピルジメチルベタイン、テトラデシルジメチルベタイン、テトラデシルアミドプロピルジメチルベタイン、ドデシルジメチルヘキサン酸アンモニウム、およびアミドアルキルベタインが挙げられる。別の実施形態において、カチオンは、米国特許第４，６８７，６０２号に開示されたスルホベタインであってもよい。上記文献はそれぞれ、１つまたは複数の非制限的な実施形態において、参照によって本明細書に明確に組み込まれている。
【００３７】
式：Ｒ（４−ｍ）−Ｎ＋−［（ＣＨ２）ｎ−Ｙ−Ｒ１］ｍのジエステル第四級アンモニウム（ＤＥＱＡ）カチオンを用いることもできる。この式において、Ｒ置換基はそれぞれ、水素；Ｃ１〜Ｃ６のアルキルまたはヒドロキシアルキル、典型的にはメチル、エチル、プロピルまたはヒドロキシエチル、より典型的にはメチル；ポリ（Ｃ１〜Ｃ３アルコキシ）、典型的にはポリエトキシ；ベンジル；またはその混合物から選択され、ｍは２または３であり、ｎはそれぞれ１〜４であり、Ｙはそれぞれ、−Ｏ−Ｃ（Ｏ）−、−Ｃ（Ｏ）−Ｏ−、−ＮＲ−Ｃ（Ｏ）−、または−Ｃ（Ｏ）−ＮＲ−であり、但し、Ｙが−Ｏ−Ｃ（Ｏ）−または−ＮＲ−Ｃ（Ｏ）−であるとき、各Ｒ１の炭素に１を加えたものの合計は、Ｃ１２〜Ｃ２２、典型的にはＣ１４〜Ｃ２０であり、Ｒ１はそれぞれヒドロカルビル基または置換ヒドロカルビル基である。一実施形態において、ＤＥＱＡカチオンは、１つまたは複数の非制限的な実施形態において、参照によって本明細書に明確に組み込まれた米国特許第６，００４，９２２号に記載されている、アルキルジメチルヒドロキシエチル第四級アンモニウムである。別の実施形態において、ＤＥＱＡカチオンは、一般式Ｒ３Ｎ＋ＣＨ２ＣＨ（ＹＲ１）（ＣＨ２ＹＲ１）を有し、式中、Ｙ、Ｒ、Ｒ１はそれぞれ上記された通りである。さらに別の実施形態において、ＤＥＱＡカチオンは、［ＣＨ３］３Ｎ＋［ＣＨ２ＣＨ（ＣＨ２ＯＣ（Ｏ）Ｒ１）ＯＣ（Ｏ）Ｒ１］であり、Ｒ１はそれぞれＣ１５〜Ｃ１９である。
【００３８】
式：Ｒ（４−ｍ）−Ｎ＋−Ｒ１ｍを有するアルキレン第四級アンモニウムカチオンを利用することもできる。この式において、ｍはそれぞれ２または３であり、Ｒはそれぞれ独立して、アルキルまたはヒドロキシアルキルのＣ１〜Ｃ６部分、典型的にはメチル、エチル、プロピル、またはヒドロキシエチル、より典型的にはメチルであり、Ｒ１はそれぞれ独立して、直鎖状もしくは分枝鎖状の、飽和もしくは不飽和の、Ｃ６〜Ｃ２２のアルキル部分もしくはアルコキシ部分、典型的にはＣ１４〜Ｃ２０部分であり、但し１個以下のＲ１がＣ１２未満であり、他のＲ１が少なくともＣ１６であり、またはヒドロカルビル部分もしくは置換ヒドロカルビル部分、典型的にはＣ１０〜Ｃ２０のアルキルもしくはアルケニル、最も典型的にはＣ１２〜Ｃ１８のアルキルもしくはアルケニルである。一実施形態において、カチオンは、ジアルキレンジメチルアンモニウム、例えば、Ａｄｏｇｅｎ（登録商標）４７２の商品名でＷｉｔｃｏ  Ｃｏｒｐｏｒａｔｉｏｎから入手可能なジオレイルジメチルアンモニウムである。別の実施形態において、カチオンは、モノアルケニルトリメチルアンモニウム、例えば、モノオレイルトリメチルアンモニウム、モノカノーラトリメチルアンモニウム、およびソヤトリメチルアンモニウムである。
【００３９】
ジ脂肪アミド第四級アンモニウムカチオン、例えば［Ｒ１−Ｃ（Ｏ）−ＮＲ−Ｒ２−Ｎ（Ｒ）２−Ｒ３−ＮＲ−Ｃ（Ｏ）−Ｒ１］＋を用いることもできる。この式において、ＲおよびＲ１は上記された通りであり、Ｒ２およびＲ３はＣ１〜Ｃ６アルキレン部分である。
【００４０】
Ｃ８〜Ｃ２２第四級界面活性剤、例えばＳｃｈｅｒ  Ｃｈｅｍｉｃａｌｓ、Ｉｎｃ製のＳｃｈｅｒｃｏｑｕａｔ  ＩＩＳ（登録商標）からそのエトサルフェート塩形態で入手可能なイソステアリルエチルイミドニウム、Ｃｏｇｎｉｓ  Ｃｏｒｐｏｒａｔｉｏｎ製のＤｅｈｙｑｕａｒｔ  ＳＰ（登録商標）として得られるクオタニウム−５２、Ａｋｚｏ  Ｎｏｂｅｌ  Ｓｕｒｆａｃｅ  Ｃｈｅｍｉｓｔｒｙ  ＬＬＣ製のＡｒｑｕａｄ  ２Ｃ−７５（登録商標）としてその塩酸塩形態で入手可能なジココジメチルアンモニウムを用いることもできる。
【００４１】
カチオンエステル、例えば、米国特許第４，２２８，０４２号、第４，２３９，６６０号、第４，２６０，５２９号、および米国特許第６，０２２，８４４号に記載されたものを用いることもできる。これら文献はそれぞれ、１つまたは複数の非制限的な実施形態において、参照によって本明細書に明確に組み込まれている。
【００４２】
Ｒｏｈｍ  ａｎｄ  Ｈａａｓ製のＫａｔｈｏｎ（登録商標）として得られる４，５−ジクロロ−２−ｎ−オクチル−３−イソチアゾロンを用いることもできる。あるいは、第四級アミノポリオキシアルキレン誘導体（コリンおよびコリン誘導体）を利用することができる。さらに、１つまたは複数の非制限的な実施形態において、本明細書に明確に組み込まれた米国特許第６，１３６，７６９号に記載されている、アルキルオキシアルキレンカチオンおよびアルコキシレート第四級アンモニウム（ＡＱＡ）を用いることもできる。
【００４３】
置換または非置換の、ピロリジニウム、イミダゾリウム、ベンゾイミダゾリウム、ピラゾリウム、ベンゾピラゾリウム、チアゾリウム、ベンゾチアゾリウム、オキサゾリウム、ベンゾオキサゾリウム、イソキサゾリウム、イソチアゾリウム、イミダゾリデニウム（ｉｍｄａｚｏｌｉｄｅｎｉｕｍ）、グアニジニウム、インダゾリウム、キヌクリジニウム、トリアゾリウム、イソキヌクリジニウム、ピペリジニウム、モルホリニウム、ピリダジニウム、ピラジニウム、トリアジニウム、アゼピニウム、ジアゼピニウム、ピリジニウム、ピペリドニウム、ピリミジニウム、チオフェニウム、ホスホニウムを用いることもできる。一実施形態において、カチオンは、式：
【化９】
2017528569.tif 000010
（式中、ＲおよびＲ１はそれぞれ、上記された通りであり、Ｒ２はそれぞれ、Ｃ１〜Ｃ６アルキレン基、典型的にはエチレン基であり、Ｇは酸素原子または−ＮＲ−基である）を有する置換イミダゾリウムカチオンである。例えば、カチオン１−メチル−１−オレイルアミドエチル−２−オレイルイミダゾリニウムは、商品名Ｖａｒｉｓｏｆｔ（登録商標）３６９０でＷｉｔｃｏ  Ｃｏｒｐｏｒａｔｉｏｎから市販されている。別の実施形態において、カチオンは、式：
【化１０】
2017528569.tif 000011
（式中、Ｒ１は非環状脂肪族Ｃ８〜Ｃ２２炭化水素基である）を有するアルキルピリジニウムカチオンである。別の実施形態において、カチオンは、式：
【化１１】
2017528569.tif 000012
（式中、Ｒ１は、直鎖状もしくは分枝鎖状の、飽和もしくは不飽和の、Ｃ６〜Ｃ２２アルキル部分もしくはアルコキシ部分、またはヒドロカルビル部分もしくは置換ヒドロカルビル部分であり、Ｒ２はＣ１〜Ｃ６アルキレン部分である）を有するアルカンアミドアルキレンピリジニウムカチオンである。
【００４４】
第四級アンモニウム部分を含むカチオン性漂白活性剤を用いることもできる。これには、それに限定されないが、以下が挙げられる。
【００４５】
【化１２】
2017528569.tif 000013
【００４６】
１−メチル−３−（１−オキソへプチル）−１Ｈ−イミダゾリウムおよび本明細書でイオン液体のカチオンとして用いるのに好適な、他のカチオン性漂白活性剤は、米国特許第５，５９９，７８１号、第５，６８６，０１５号、第５，６８６，０１５号、ＷＯ９５／２９１６０、米国特許第５，５９９，７８１号、第５，５３４，１７９号、ＥＰ１２５３１９０Ａ１、米国特許第６，１８３，６６５号、第５，１０６，５２８号、第５，２８１，３６１号、およびＢｕｌｌｅｔｉｎ  ｄｅ  ｌａ  Ｓｏｃｉｅｔｅ  Ｃｈｉｍｉｑｕｅ  ｄｅ  Ｆｒａｎｃｅ（１９７３）、（３）（Ｐｔ．２）、１０２１〜７に開示されており、１つまたは複数の非制限的な実施形態において、それぞれが参照によって本明細書に明確に組み込まれている。
【００４７】
カチオン性抗菌剤、例えばセチルピリジニウム、クロロヘキシジン、およびドミフェンを用いることもできる。さらに、アルキル化カフェインカチオン、例えば以下の分子を用いることもでき、
【化１３】
2017528569.tif 000014
式中、Ｒ１およびＲ２はＣ１〜Ｃ１２のアルキル基またはアルキレン基である。
【００４８】
さらに、以下のアルキルポリアミノカルボン酸塩を用いることができ、
【化１４】
2017528569.tif 000015
式中、ＲはＣ８〜Ｃ２２のアルキル基もしくはアルキレン基であり、またはココヤシ、獣脂もしくはオレイルである。非制限的な例には、Ａｋｚｏ  Ｎｏｂｅｌ製の、Ａｍｐｈｏｌａｋ（登録商標）７ＣＸ／Ｃ、Ａｍｐｈｏｌａｋ（登録商標）７ＴＸ／Ｃ、およびＡｍｐｈｏｌａｋ（登録商標）ＸＯ７／Ｃが挙げられる。
【００４９】
いくつかの実施形態において、例えば、式：
【化１５】
2017528569.tif 000016
（式中、Ｒ１〜Ｒ４は、直鎖状または分枝鎖状の、飽和または不飽和の、アルキル、アリール、アルコキシアルキル、アルキレンアリールヒドロキシアルキル、またはハロアルキルから選択され、Ｘは、本明細書で上記されたアニオンであり、ｍおよびｎは、電気的中性をもたらすように選択され、Ｒ１〜Ｒ４の少なくとも１個がＣ１２以上であるか、またはＲ１〜Ｒ４の少なくとも２個がＣ１０以上であるか、またはＲ１〜Ｒ４の少なくとも３個がＣ６以上であるとき、イオン液体は水非混和性である）を有するアニオンおよびカチオンの組合せを含むイオン液体を使用することができる。
【００５０】
さらなる実施形態において、イオン液体は、トリメチルオクチルアンモニウムカチオン、トリイソオクチルメチルアンモニウムカチオン、テトラヘキシルアンモニウムカチオン、テトラオクチルアンモニウムカチオン、およびその混合物から選択されるカチオン、ならびに本明細書で上記されたものから選択されるアニオンを含む。
【００５１】
またさらなる実施形態において、イオン液体は、アミンオキシドカチオンおよび本明細書で上記されたものから選択されるアニオンを含む。追加の実施形態において、イオン液体は、ベタインカチオンおよび本明細書で上記されたものから選択されるアニオンを含む。
【００５２】
水
水は、蒸留水、水道水、精製水などの、いずれの種類の水であってもよい。水は、コア洗浄性組成物において、洗浄性組成物１００質量部あたり１０〜５０、１５〜５０、２０〜４５、２５〜４０、３０〜３５、１０〜３０、１５〜２５、または１５〜２０質量部で存在することができる。組成物の任意の１種もしくは複数の成分へ独立して添加される水であってもよく、および／または組成物の任意の成分の１種もしくは複数に存在する水であってもよい。例えば、組成物の１種または複数の成分は、１０質量パーセント未満の含水量または５０質量パーセントより多い含水量を個別に有することができるが、成分の全てを共に加える場合、組成物に存在する全水分量は上記された通りであることができる。様々な実施形態において、例えば実施例に示すように、組成物の全水分量を、全含水量（全ての発生源からの）として記載することができる。全ての値、およびその間の値の範囲もまた、様々な非制限的な実施形態において、本明細書で明確に企図されている。
【００５３】
キレート剤
キレート剤に再び注目すると、キレート剤は当技術分野で既知の任意のものであることができる。様々な非制限的な実施形態において、キレート剤は、参照によって本明細書に明確に組み込まれたＷＯ２０１１１３００７６に記載された通りである。あるいは、キレート剤を、「ビルダー」と記載することができる。
【００５４】
様々な実施形態において、ビルダーは、リン酸塩ビルダー、および／もしくは非リン酸塩ビルダーであり、またはリン酸塩ビルダー、および／もしくは非リン酸塩ビルダーを含む。ビルダーは、典型的には、コア洗浄性組成物の全質量に対して、１〜５０、１〜４０、５〜５０、５〜４５、５〜４０、５〜３５、５〜３０、５〜２５、５〜２０、５〜１５、５〜１０、１０〜４０、１０〜３５、１０〜３０、１０〜２５、１０〜２０、１０〜１５、１５〜４０、１５〜３５、１５〜３０、１５〜２５、１５〜２０、２０〜４０、２０〜３５、２０〜３０、または２０〜２５質量パーセントの量で含まれる。全ての値、およびその間の値の範囲もまた、様々な非制限的な実施形態において、本明細書で明確に企図されている。
【００５５】
好適なリン酸塩ビルダーの非制限的な例には、モノ−リン酸塩、ジ−リン酸塩、トリ−ポリリン酸塩、またはオリゴマー−ポリリン酸塩、およびその組合せが挙げられる。これらの化合物のアルカリ金属塩、例えばナトリウム塩を用いることができる。
【００５６】
非リン酸塩ビルダーの非制限的な例には、アミノ酸系化合物、特にＭＧＤＡ（メチル−グリシン−二酢酸）およびそのアルカリ土類（Ｎａ、Ｋ、Ｌｉ）、またはアルカリ土類塩とその誘導体との混合物、ＧＬＤＡ（グルタミン−Ｎ，Ｎ−二酢酸）およびそのアルカリ土類（Ｎａ、Ｋ、Ｌｉ）、またはアルカリ土類塩とその誘導体との混合物、ならびにＭＧＤＡおよびそのアルカリ土類塩とＧＬＤＡおよびそのアルカリ土類（Ｎａ、Ｋ、Ｌｉ）との混合物、またはアルカリ土類塩の混合物が挙げられる。一実施形態において、ＧＬＤＡ（その塩および誘導体）またはそのテトラナトリウム塩が用いられる。ＭＧＤＡは、典型的には、Ｌ鏡像体およびＤ鏡像体であるか、Ｌ鏡像体およびＤ鏡像体からなり、例えば、鏡像体過剰率（ｅｅ）約３０％のＬ−異性体であることができる。メチルグリシン二酢酸（ＭＧＤＡ）のＬ−鏡像体およびＤ−鏡像体の混合物、またはそのそれぞれの、モノアルカリ塩、ジアルカリ塩、もしくはトリアルカリ塩、またはモノアンモニウム塩、ジアンモニウム塩、もしくはトリアンモニウム塩を用いることができる。一実施形態において、ＭＧＤＡは、主に鏡像体過剰率（ｅｅ）１０〜７５％の、それぞれのＬ−異性体であり、任意の値またはその間の値の範囲は終点を含んでいる。
【００５７】
他の好適なビルダーには、クエン酸塩などの水溶性硬イオン錯体を形成するビルダー（金属イオン封鎖ビルダー）、および炭酸塩、例えば炭酸ナトリウムなどの硬沈殿物を形成するビルダー（沈降性ビルダー）が挙げられる。あるいは、他の好適な非リン酸塩ビルダーには、アミノ酸系化合物またはコハク酸系化合物が挙げられる。他の好適なビルダーは、１つまたは複数の非制限的な実施形態において、参照によって本明細書に明確に組み込まれた米国特許第６，４２６，２２９号に記載されている。
【００５８】
一実施形態において、好適なビルダーには、例えば、アスパラギン酸−Ｎ−モノ酢酸（ＡＳＭＡ）、アスパラギン酸−Ｎ，Ｎ−二酢酸（ＡＳＤＡ）、アスパラギン酸−Ｎ−モノプロピオン酸（ＡＳＭＰ）、イミノジコハク酸（ＩＤＡ）、Ｎ−（２−スルホメチル）アスパラギン酸（ＳＭＡＳ）、Ｎ−（２−スルホエチル）アスパラギン酸（ＳＥＡＳ）、Ｎ−（２−スルホメチル）グルタミン酸（ＳＭＧＬ）、Ｎ−（２−スルホエチル）グルタミン酸（ＳＥＧＬ）、Ｎ−メチルイミノ二酢酸（ＭＩＤＡ）、α−アラニン−Ｎ，Ｎ−二酢酸（α−ＡＬＤＡ）、セリン−Ｎ，Ｎ−二酢酸（ＳＥＤＡ）、イソセリン−Ｎ，Ｎ−二酢酸（ＩＳＤＡ）、フェニルアラニン−Ｎ，Ｎ−二酢酸（ＰＨＤＡ）、アントラニル酸−Ｎ，Ｎ−二酢酸（ＡＮＤＡ）、スルファニル酸−Ｎ，Ｎ−二酢酸（ＳＬＤＡ）、タウリン−Ｎ，Ｎ−二酢酸（ＴＵＤＡ）、およびスルホメチル−Ｎ，Ｎ−二酢酸（ＳＭＤＡ）、ならびにそのアルカリ金属塩またはアンモニウム塩が挙げられる。
【００５９】
他の実施形態において、好適な非制限的なビルダーには、ポリカルボン酸のホモポリマーおよびコポリマー、ならびにその部分的な、または完全な中和塩、モノマーの、ポリカルボン酸およびヒドロキシカルボン酸、ならびにその塩が挙げられる。一実施形態において、上記化合物の塩には、アンモニウムおよび／またはアルカリ金属塩、すなわちリチウム塩、ナトリウム塩、およびカリウム塩が含まれ、ナトリウム塩が特に有用であることができる。
【００６０】
好適な非制限的なポリカルボン酸には、非環状、脂環式、複素環式、および芳香族のカルボン酸が含まれ、各々の場合、一実施形態において、２個以下の炭素原子によって互いに分離された、少なくとも２個のカルボキシル基を含む。２個のカルボキシル基を含むポリカルボン酸塩は、例えば、マロン酸、（エチルエンジオキシ）二酢酸、マレイン酸、ジグリコール酸、酒石酸、タルトロン酸、およびフマル酸の水溶性塩を含む。３個のカルボキシル基を含むポリカルボン酸塩は、例えば水溶性クエン酸塩を含む。それに対応して、好適なヒドロキシカルボン酸は、例えばクエン酸である。他の好適なポリカルボン酸は、アクリル酸のホモポリマーおよび／またはポリアスパラギン酸のホモポリマーである。他の好適なビルダーは、１つまたは複数の非制限的な実施形態において、参照によって本明細書に明確に組み込まれた米国特許第５，６９８，５０４号に開示されている。
【００６１】
酵素
酵素に再び注目すると、酵素は当技術分野で既知の任意のものであることができる。様々な非制限的な実施形態において、酵素は、１つまたは複数の非制限的な実施形態において、参照によって本明細書に明確に組み込まれたＷＯ２０１１１３００７６に開示された通りである。アミラーゼ、プロテアーゼ、セルラーゼなどの、２種以上の酵素の組合せを用いることができる。こうした組合せは、より広い範囲の、温度および基材にわたって洗浄の強化に寄与し、特にポリマーと併用されるとき、より優れた光沢性をもたらす。一実施形態において、酵素は、アミラーゼ、プロテアーゼ、およびその組合せから選択される。
【００６２】
本明細書で用いるのに好適な非制限的なプロテアーゼには、中性またはアルカリ性の微生物セリンプロテアーゼ、例えばサブチリシン（ＥＣ  ３．４．２１．６２）を含む、メタロプロテアーゼおよびセリンプロテアーゼが挙げられる。好適なプロテアーゼには、動物由来、野菜由来、または微生物由来のものが含まれる。化学的または遺伝学的に変性された突然変異体を含むことができる。一実施形態において、プロテアーゼは、セリンプロテアーゼ、アルカリ性微生物プロテアーゼまたはキモトリプシン様プロテアーゼまたはトリプシン様プロテアーゼであることができる。
【００６３】
中性またはアルカリ性のプロテアーゼの非制限的な例には、
（ａ）１つまたは複数の非制限的な実施形態において、それぞれが参照によって本明細書に明確に組み込まれた、米国特許第６，３１２，９３６Ｂ１号、米国特許第５，６７９，６３０号、米国特許第４，７６０，０２５号、および米国特許出願公開第２００９／０１７０７４５Ａ１号に開示されている、サブチリシン（ＥＣ  ３．４．２１．６２）、特にバチルス属から誘導されたもの、例えばバチルス・レンタス（Ｂａｃｉｌｌｕｓ  ｌｅｎｔｕｓ）、バチルス・アルカロフィラス（Ｂ．ａｌｋａｌｏｐｈｉｌｕｓ）、枯草菌（Ｂ．ｓｕｂｔｉｌｉｓ）、バチルス・アミロリケファシエンス（Ｂ．ａｍｙｌｏｌｉｑｕｅｆａｃｉｅｎｓ）、バチルス・パミラス（Ｂａｃｉｌｌｕｓ  ｐｕｍｉｌｕｓ）、およびバチルス・ギブソニー（Ｂａｃｉｌｌｕｓ  ｇｉｂｓｏｎｉｉ）と、
（ｂ）トリプシン様プロテアーゼまたはキモトリプシン様プロテアーゼ、例えば（例えば、ブタ由来またはウシ由来の）トリプシン、１つまたは複数の非制限的な実施形態において、それぞれが参照によって本明細書に明確に組み込まれた、米国特許第５，２８８，６２７号に記載されたフザリウムプロテアーゼ、および米国特許出願公開第２００８／００６３７７４Ａ１号に記載されたセルロモナスから誘導されたキモトリプシンプロテアーゼと、
（ｃ）メタロプロテアーゼ、特に１つまたは複数の非制限的な実施形態において、それぞれが参照によって本明細書に明確に組み込まれた、米国特許出願公開第２００９／０２６３８８２Ａ１号および米国特許出願公開第２００８／０２９３６１０Ａ１号に記載されたバチルス・アミロリケファシエンスから誘導されたものが挙げられる。
【００６４】
好適な市販されているプロテアーゼ酵素の追加の非制限的な例には、Ｎｏｖｏｚｙｍｅｓ  Ａ／Ｓ（デンマーク）によって、Ａｌｃａｌａｓｅ（登録商標）、Ｓａｖｉｎａｓｅ（登録商標）、Ｐｒｉｍａｓｅ（登録商標）、Ｄｕｒａｚｙｍ（登録商標）、Ｐｏｌａｒｚｙｍｅ（登録商標）、Ｋａｎｎａｓｅ（登録商標）、Ｌｉｑｕａｎａｓｅ（登録商標）、Ｏｖｏｚｙｍｅ（登録商標）、Ｎｅｕｔｒａｓｅ（登録商標）、Ｅｖｅｒｌａｓｅ（登録商標）、およびＥｓｐｅｒａｓｅ（登録商標）の商品名で販売されるもの、Ｇｅｎｅｎｃｏｒ  Ｉｎｔｅｒｎａｔｉｏｎａｌ（現在、Ｄａｎｉｓｃｏ  ＵＳ  Ｉｎｃ．）によって、Ｍａｘａｔａｓｅ（登録商標）、Ｍａｘａｃａｌ（登録商標）、Ｍａｘａｐｅｍ（登録商標）、Ｐｒｏｐｅｒａｓｅ（登録商標）、Ｐｕｒａｆｅｃｔ（登録商標）、Ｐｕｒａｆｅｃｔ  Ｐｒｉｍｅ（登録商標）、Ｐｕｒａｆｅｃｔ  Ｏｘ（登録商標）、ＦＮ３（登録商標）、ＦＮ４（登録商標）、Ｅｘｃｅｌｌａｓｅ（登録商標）、およびＰｕｒａｆｅｃｔ  ＯＸＰ（登録商標）の商品名で販売されるもの、Ｓｏｌｖａｙ  Ｅｎｚｙｍｅｓによって、Ｏｐｔｉｃｌｅａｎ（登録商標）およびＯｐｔｉｍａｓｅ（登録商標）の商品名で販売されるもの、Ｈｅｎｋｅｌ／Ｋｅｍｉｒａより入手可能なもの、すなわち全てＨｅｎｋｅｌ／Ｋｅｍｉｒａ製の、ＢＬＡＰ（米国特許第５，３５２，６０４号の図２９に示された、以下の突然変異体Ｓ９９Ｄ＋Ｓ１０１  Ｒ＋Ｓ１０３Ａ＋Ｖ１０４１＋Ｇ１５９Ｓを有する配列、以下ＢＬＡＰと称する）、ＢＬＡＰ  Ｒ（Ｓ３Ｔ＋Ｖ４Ｉ＋Ｖ１９９Ｍ＋Ｖ２０５１＋Ｌ２１７Ｄを有するＢＬＡＰ）、ＢＬＡＰ  Ｘ（Ｓ３Ｔ＋Ｖ４１＋Ｖ２０５１を有するＢＬＡＰ）、およびＢＬＡＰ  Ｆ４９（Ｓ３Ｔ＋Ｖ４Ｉ＋Ａ１９４Ｐ＋Ｖ１９９Ｍ＋Ｖ２０５１＋Ｌ２１７Ｄを有するＢＬＡＰ）、および花王製のＫＡＰ（突然変異体Ａ２３０Ｖ＋Ｓ２５６Ｇ＋Ｓ２５９Ｎを有するバチルス・アルカロフィラス・サブチリシン（Ｂａｃｉｌｌｕｓ  ａｌｋａｌｏｐｈｉｌｕｓ  ｓｕｂｔｉｌｉｓｉｎ））が挙げられる。上記参考文献のそれぞれは、１つまたは複数の非制限的な実施形態において、参照によって本明細書に明確に組み込まれている。
【００６５】
一実施形態において、Ｐｒｏｐｅｒａｓｅ（登録商標）、Ｐｕｒａｆｅｃｔ（登録商標）、Ｏｖｏｚｙｍｅ（登録商標）、Ｅｖｅｒｌａｓｅ（登録商標）、Ｓａｖｉｎａｓｅ（登録商標）、Ｅｘｃｅｌｌａｓｅ（登録商標）、およびＦＮ３（登録商標）からなる群から選択される市販されているプロテアーゼが用いられる。
【００６６】
本明細書で用いるのに好適な非制限的なアミラーゼには、１つまたは複数の非制限的な実施形態において、それぞれが参照によって本明細書に明確に組み込まれた、米国特許出願公開第２００９／０２３３８３１Ａ１号および米国特許出願公開第２００９／０３１４２８６Ａ１号に記載されたものが挙げられる。本明細書で用いるのに好適な非制限的な市販されているアミラーゼには、ＳＴＡＩＮＺＹＭＥ（登録商標）、ＳＴＡＩＮＺＹＭＥ  ＰＬＵＳ（登録商標）、ＳＴＡＩＮＺＹＭＥ  ＵＬＴＲＡ（登録商標）、およびＮＡＴＡＬＡＳＥ（登録商標）（Ｎｏｖｏｚｙｍｅｓ  Ａ／Ｓ）、ならびにＳｐｅｚｙｍｅ  Ｘｔｒａ（登録商標）およびＰｏｗｅｒａｓｅ（登録商標）が挙げられる。ＳＴＡＩＮＺＹＭＥ  ＰＬＵＳ（登録商標）およびＰｏｗｅｒａｓｅ（登録商標）が特に有用であることができる。
【００６７】
本明細書で用いるのに好適な、非制限的なセルラーゼには、１つまたは複数の非制限的な実施形態において、参照によって本明細書に明確に組み込まれた米国特許第７，１４１，４０３Ｂ２号のアミノ酸配列の配列番号２と少なくとも９０％、９４％、９７％、さらに９９％同一である配列を有する、バチルス属のメンバーに内因性の細菌性ポリペプチドを含み、エンド−β−１，４−グルカナーゼ活性（Ｅ．Ｃ．  ３．２．１．４）を示す微生物由来のエンドグルカナーゼおよびその混合物が挙げられる。本明細書で用いるのに好適な市販されているセルラーゼには、Ｃｅｌｌｕｚｙｍｅ（登録商標）、Ｃｅｌｌｕｃｌｅａｎ（登録商標）、Ｗｈｉｔｅｚｙｍｅ（登録商標）（Ｎｏｖｏｚｙｍｅｓ  Ａ／Ｓ）、およびＰｕｒａｄａｘ  ＨＡ（登録商標）（Ｇｅｎｅｎｃｏｒ  Ｉｎｔｅｒｎａｔｉｏｎａｌ、現在Ｄａｎｉｓｃｏ  ＵＳ  Ｉｎｃ．）が挙げられる。
【００６８】
本明細書で用いるのに好適な他の酵素は、ヘミセルラーゼ、セロビオース、デヒドロゲナーゼ、ペルオキシダーゼ、キシラナーゼ、リパーゼ、ホスホリパーゼ、エステラーゼ、クチナーゼ、ぺクチナーゼ、マンナナーゼ、ペクチン酸リアーゼ、ケラチナーゼ、レダクターゼ、オキシダーゼ、フェノールオキシダーゼ、リポキシゲナーゼ、リグニナーゼ、プルラナーゼ、タンナーゼ、ペントサナーゼ、マラナーゼ、β−グルカナーゼ、アラビノシダーゼ、ヒアルロニダーゼ、コンドロイチナーゼ、ラッカーゼ、およびその組合せから選択することができる。他の実施形態において、酵素は、電気的中性または負帯電性のアミノ酸の置換を含んだ「第１サイクルリパーゼ」を含むリパーゼであってもよい。
【００６９】
コア洗浄性組成物はまた、酵素安定剤、例えばオリゴ糖、多糖類、および／または二価の無機金属塩、例えばアルカリ土類金属塩、特にカルシウム塩を含むこともできる。塩化物および硫酸塩は特に好適であることができる。好適なオリゴ糖および多糖類、例えばデキストリンの非制限的な例は、１つまたは複数の非制限的な実施形態において、参照によって本明細書に明確に組み込まれた米国特許出願公開第２００８／０００４２０号に記載されている。
【００７０】
酵素を、コア洗浄性組成物の全質量に対して、１〜５０、１〜４０、５〜５０、５〜４５、５〜４０、５〜３５、５〜３０、５〜２５、５〜２０、５〜１５、５〜１０、１０〜４０、１０〜３５、１０〜３０、１０〜２５、１０〜２０、１０〜１５、１５〜４０、１５〜３５、１５〜３０、１５〜２５、１５〜２０、２０〜４０、２０〜３５、２０〜３０、２０〜２５、１〜５、１〜４、１〜３、１〜２、１、２、３、４、５、６、７、８、９、または１０質量パーセントの量で含むことができる。全ての値、およびその間の値の範囲もまた、様々な非制限的な実施形態において、本明細書で明確に企図されている。
【００７１】
界面活性剤
界面活性剤に再び注目すると、界面活性剤は当技術分野で既知の任意のものであることができる。様々な実施形態において、界面活性剤は、アルコールアルコキシレート、アルコールエトキシレート、アルキル／アリールエーテル硫酸塩、アルキル／アリールスルホン酸塩、アルキル／アリール硫酸塩、アルキルベタイン、Ｃ１２〜Ｃ１８ジアルキル第四級アンモニウム塩、ＥＯ／ＰＯブロックコポリマー、およびその組合せから選択される。他の実施形態において、界面活性剤は、非イオン性界面活性剤を含み、または非イオン性界面活性剤である。非イオン性界面活性剤もまた、汚れ再付着を防ぐのに寄与することができる。
【００７２】
一実施形態において、界面活性剤は、例えば、蒸留水中１％濃度で測定された、４０℃から７０℃の間の転相温度を有する、非イオン性界面活性剤または非イオン性界面活性剤系である。典型的には、「非イオン性界面活性剤系」は、２種以上の非イオン性界面活性剤の混合物である。転相温度は、それより低い温度で、界面活性剤またはその混合物が優先的に油膨潤ミセルとして水相へ分かれ、それより高い温度で、界面活性剤が優先的に水膨潤逆ミセルとして油相へ分かれる温度である。転相温度は、曇りが生じる温度を識別することによって、視覚的に決定することができる。
【００７３】
非イオン性界面活性剤または非イオン性界面活性剤系の転相温度は、以下のように決定することができる：蒸留水中で、溶液の質量に対して、対応する界面活性剤または混合物を１％含んだ溶液を製造する。溶液を転相温度分析の前に静かに撹拌して、プロセスが化学平衡で生じることを確かめる。転相温度は、耐熱性槽に、７５ｍｍ密封ガラス試験管内の溶液を浸すことによって得られる。漏れがないことを確かめるために、試験管を転相温度測定の前後で計量する。温度は、予め見積もられた転相温度より数度低い温度に到達するまで、１分あたり１℃未満の速度で徐々に上昇させる。転相温度は、混濁の第１の兆候で視覚的に決定される。
【００７４】
好適な非イオン性界面活性剤の非制限的な例には、ｉ）６〜２０個の炭素原子を有する、モノヒドロキシアルカノールまたはモノヒドロキシアルキルフェノールを、典型的には、アルコールまたはアルキルフェノール１モルあたり少なくとも１２モル、少なくとも１６モル、さらに少なくとも２０モルのエチレンオキシドと反応させることによって製造されるエトキシル化非イオン性界面活性剤、ならびにｉｉ）６〜２０個の炭素原子を有し、少なくとも１個のエトキシ基およびプロポキシ基を有するアルコールアルコキシル化界面活性剤が挙げられる。一実施形態において、界面活性剤ｉ）およびｉｉ）の混合物が特に有用である。
【００７５】
好適な非イオン性界面活性剤の他の類は、式：Ｒ１Ｏ［ＣＨ２ＣＨ（ＣＨ３）Ｏ］ｘ［ＣＨ２ＣＨ２Ｏ］ｙ［ＣＨ２ＣＨ（ＯＨ）Ｒ２］（式中、Ｒ１は４〜１８個の炭素原子を有する、直鎖状または分枝鎖状の脂肪族炭化水素ラジカルであり、Ｒ２は２〜２６個の炭素原子を有する、直鎖状または分枝鎖状の脂肪族炭化水素ラジカルであり、ｘは０．５〜１．５、または１の平均値を有する整数であり、ｙは少なくとも１５または少なくとも２０の値を有する整数である）によって表されるエポキシキャップされたポリ（オキシアルキル化）アルコールである。
【００７６】
一実施形態において、界面活性剤は、末端のエポキシド単位［ＣＨ２ＣＨ（ＯＨ）Ｒ２］に少なくとも１０個の炭素原子を含む。非制限的な実施形態には、例えば、１つまたは複数の非制限的な実施形態において、それぞれが参照によって本明細書に明確に組み込まれた米国特許第５，７６６，３７１号および米国特許第５，５７６，２８１号に記載されている、Ｏｌｉｎ  Ｃｏｒｐｏｒａｔｉｏｎ製のＰｏｌｙ−Ｔｅｒｇｅｎｔ  ＳＬＦ−１８Ｂ非イオン性界面活性剤が挙げられる。
【００７７】
様々な実施形態において、界面活性剤では、ドレーブス濡れ法（以下の条件、３ｇのホック、５ｇの綿かせ、温度２５℃の水溶液０．１質量％を使用するＩＳＯ８０２２標準法）によって測定されたドレーブス濡れ時間が３６０秒未満、２００秒未満、１００秒未満、６０秒未満である。
【００７８】
例えば、再付着防止界面活性剤として、アミンオキシド界面活性剤を利用することもでき、式：Ｒ３（ＯＲ４）ｘＮ＋（Ｏ−）（Ｒ５）２（式中、Ｒ３は、８〜２６個の炭素原子、または８〜１８個の炭素原子を有する、アルキル基、ヒドロキシアルキル基、アシルアミドプロピル基、およびアルキルフェニル基、またはその混合物から選択され、Ｒ４は、２〜３個の炭素原子、または２個の炭素原子を有する、アルキレン基もしくはヒドロキシアルキレン基またはその混合物であり、ｘは、０〜５、または０〜３であり、Ｒ５はそれぞれ、１〜３個の炭素原子もしくは１〜２個の炭素原子を有する、アルキル基もしくはヒドロキシアルキル基、または１〜３個の、もしくは１個のエチレンオキシド基を含有するポリエチレンオキシド基である）を有する、直鎖状または分枝鎖状の化合物が挙げられる。Ｒ５基は、例えば酸素原子または窒素原子を介して互いに結合して、環構造を形成することができる。
【００７９】
一実施形態において、イオン液体は、トリス（２−ヒドロキシエチル）メチル−アンモニウムメチルサルフェートである。他の実施形態において、キレート剤は、メチルグリシン二酢酸である。さらなる一実施形態において、酵素は、アミラーゼ、プロテアーゼ、またはその組合せである。別の実施形態において、界面活性剤は、アルコールアルコキシレート、アルキル／アリールエーテル硫酸塩、アルキル／アリールスルホン酸塩、アルキル／アリール硫酸塩、アルキルベタイン、Ｃ１２〜Ｃ１８ジアルキル第四級アンモニウム塩、エチレンオキシド／プロピレンオキシドブロックコポリマー、およびその組合せから選択される。あるいは、溶媒は、プロピレングリコール、エチレングリコール、ブチレングリコール、およびそのモノエーテルまたはジエーテル、グライム、ジグライム、トリグライム、６００ｇ／モルまでの質量平均分子量を有するポリエチレングリコール、１，３−プロパンジオール、１−４ブタンジオール、グリセリン、およびその組合せから選択することができる。他の実施形態において、溶媒は、グリセリンである。
【００８０】
追加の任意成分
ポリマー
コア洗浄性組成物はポリマーを含むこともできる。様々な実施形態において、ポリマーは、コア洗浄性組成物の全質量に対して、０．１〜５０、０．５〜２０、１〜１０質量パーセントの量で存在する。
【００８１】
スルホン化／カルボキシル化ポリマーの好適な非制限的な例では、質量平均分子量が１００，０００Ｄａ以下、７５，０００Ｄａ以下、５０，０００Ｄａ以下、３，０００Ｄａ〜５０，０００Ｄａ、５，０００Ｄａ〜４５，０００Ｄａであることができる。スルホン化／カルボキシル化ポリマーは、（ａ）一般式：
【化１６】
2017528569.tif 000017
（式中、Ｒ１〜Ｒ４は独立して、水素、メチル、カルボン酸基、またはＣＨ２ＣＯＯＨであり、カルボン酸基は中和されていてもよい）を有する、少なくとも１種のカルボン酸モノマーから誘導された少なくとも１種の構造単位、（ｂ）任意で、一般式：
【化１７】
2017528569.tif 000018
（式中、Ｒ５は水素、Ｃ１〜Ｃ６アルキル、またはＣ１〜Ｃ６ヒドロキシアルキルであり、Ｘは、いずれかの芳香族であるか（Ｘが芳香族であるとき、Ｒ５は水素もしくはメチルである）、またはＸは一般式：
【化１８】
2017528569.tif 000019
（式中、Ｒ６は（Ｒ５とは独立して）、水素、Ｃ１〜Ｃ６アルキル、またはＣ１〜Ｃ６ヒドロキシアルキルであり、ＹはＯまたはＮである）のものである）を有する、少なくとも１種の非イオン性モノマーから誘導された１種または複数の構造単位、ならびに、一般式：Ｒ７−（Ａｔ）−（Ｂｔ）−ＳＯ３−（式中、Ｒ７は少なくとも１個のｓｐ２結合を含む基であり、ＡはＯ、Ｎ、Ｐ、Ｓ、またはアミド結合もしくはエステル結合であり、Ｂは単環芳香族基または多環芳香族基または脂肪族基であり、ｔはそれぞれ独立して０または１であり、Ｍ＋はカチオンである）を有する、少なくとも１種のスルホン酸モノマーから誘導されたた少なくとも１種の構造単位を含むことができる。一実施形態において、Ｒ７はＣ２〜Ｃ６アルケンである。別の実施形態において、Ｒ７は、エテン、ブテン、またはプロペンである。
【００８２】
好適な非制限的なカルボン酸モノマーには、以下の、アクリル酸、マレイン酸、イタコン酸、メタクリル酸、またはアクリル酸のエトキシレートエステルの１種または複数が挙げられ、アクリル酸およびメタクリル酸がより好ましい。一実施形態において、スルホン化モノマーには、以下の、（メタ）アリルスルホン酸ナトリウム、ビニルスルホン酸塩、フェニル（メタ）アリルエーテルスルホン酸ナトリウム、または２−アクリルアミド−メチルプロパンスルホン酸の１種または複数が挙げられる。別の実施形態において、非イオン性モノマーには、以下の、メチル（メタ）アクリレート、エチル（メタ）アクリレート、ｔ−ブチル（メタ）アクリレート、メチル（メタ）アクリルアミド、エチル（メタ）アクリルアミド、ｔ−ブチル（メタ）アクリルアミド、スチレン、またはα−メチルスチレンの１種または複数が挙げられる。
【００８３】
さらなる一実施形態において、ポリマーは、１種または複数のカルボン酸モノマー４０〜９０、または６０〜９０質量パーセント、１種または複数のスルホン酸モノマー５〜５０、または１０〜４０質量パーセント、および任意で、１種または複数の非イオン性モノマー１〜３０、または２〜２０質量パーセントを含む。別の実施形態において、ポリマーは、少なくとも１種のカルボン酸モノマー７０〜８０質量パーセント、および少なくとも１種のスルホン酸モノマー２０〜３０質量パーセントを含む。
【００８４】
カルボン酸は、（メタ）アクリル酸であってもよい。スルホン酸モノマーは、典型的には以下の、２−アクリルアミドメチル−１−プロパンスルホン酸、２−メタクリルアミド−２−メチル−１−プロパンスルホン酸、３−メタクリルアミド−２−ヒドロキシプロパンスルホン酸、アリルスルホン酸、メタリルスルホン酸、アリルオキシベンゼンスルホン酸、メタリルオキシベンゼンスルホン酸、２−ヒドロキシ−３−（２−プロペニルオキシ）プロパンスルホン酸、２−メチル−２−プロペン−１−スルホン酸、スチレンスルホン酸、ビニルスルホン酸、３−スルホプロピルアクリレート、３−スルホプロピルメタクリレート、スルホメチルアクリルアミド、スルホメチルメタクリルアミド、およびその水溶性塩の１種である。一実施形態において、不飽和スルホン酸モノマーは、２−アクリルアミド−２−プロパンスルホン酸（ＡＭＰＳ）である。
【００８５】
市販されているポリマーには、Ａｌｃｏ  Ｃｈｅｍｉｃａｌから市販されているＡｌｃｏｓｐｅｒｓｅ  ２４０、Ａｑｕａｔｒｅａｔ  ＡＲ  ５４０およびＡｑｕａｔｒｅａｔ  ＭＰＳ、Ｒｏｈｍ  ＆  Ｈａａｓから市販されているＡｃｕｍｅｒ  ３１００、Ａｃｕｍｅｒ  ２０００、Ａｃｕｓｏｌ  ５８７ＧおよびＡｃｕｓｏｌ  ５８８Ｇ、ＢＦ  Ｇｏｏｄｒｉｃｈから市販されているＧｏｏｄｒｉｃｈ  Ｋ−７９８、Ｋ−７７５およびＫ−７９７、ＩＳＰ  ｔｅｃｈｎｏｌｏｇｉｅｓ  Ｉｎｃ．から市販されているＡＣＰ  １０４２が挙げられる。特に好適なポリマーは、Ｒｏｈｍ  ＆  Ｈａａｓから市販されているＡｃｕｓｏｌ  ５８７ＧおよびＡｃｕｓｏｌ  ５８８Ｇである。
【００８６】
カルボン酸基またはスルホン酸基の全てまたはいくつかは、中和された形態で存在することができ、すなわちいくつかのまたは全ての酸基において、カルボン酸基および／またはスルホン酸基の酸性水素原子を、金属イオン、例えばアルカリ金属イオン、特にナトリウムイオンで置き換えることができる。
【００８７】
界面活性剤を、コア洗浄性組成物の全質量に対して、１〜９０、１〜８０、５〜５０、５〜４５、５〜４０、５〜３５、５〜３０、５〜２５、５〜２０、５〜１５、５〜１０、１０〜４０、１０〜３５、１０〜３０、１０〜２５、１０〜２０、１０〜１５、１５〜４０、１５〜３５、１５〜３０、１５〜２５、１５〜２０、２０〜４０、２０〜３５、２０〜３０、２０〜２５、１〜５、１〜４、１〜３、１〜２、１、２、３、４、５、６、７、８、９、または１０質量パーセントの量で含むことができる。全ての値、およびその間の値の範囲もまた、様々な非制限的な実施形態において、本明細書で明確に企図されている。
【００８８】
乾燥助剤
コア洗浄性組成物は乾燥助剤を含むこともできる。乾燥助剤は、典型的には、洗浄された品目、特にその疎水性質により洗浄プロセス後により湿りやすいプラスチック品に残された含水量を減らすことができる化合物である。
【００８９】
乾燥助剤の好適な非制限的な例には、ポリエステル、例えばテレフタル酸、５−スルホイソフタル酸、または５−スルホイソフタル酸塩から誘導されたアニオン性ポリエステル、エチレングリコールまたはポリエチレングリコール、プロピレングリコールまたはポリプロピレングリコール、およびポリアルキレングリコールモノアルキルエーテルが挙げられ、任意で、重縮合の助けとなる３〜６個の官能基、詳細には、酸、アルコールまたはエステルの官能基を有するさらなるモノマーと共に含む。乾燥助剤として用いるのに好適なポリエステルは、ＷＯ２００８／１１０８１６に開示されており、以下の特性、（ａ）数平均分子量８００Ｄａ〜２５，０００Ｄａ、または１，２００Ｄａ〜１２，０００Ｄａ、（ｂ）４０℃を超え、４１℃〜２００℃、または８０℃〜１５０℃の軟化点、（ｃ）２００℃で、ドイツ硬度３°の水中で６質量％を超える溶解度の１種または複数を有することができる。３０℃で、溶解度は、４０℃の８質量％よりも大きくなることができる。５０℃で、溶解度は、ドイツ硬度３°の水中で測定された４０％よりも大きくなることができる。他の好適な乾燥助剤には、１つまたは複数の非制限的な実施形態において、それぞれが参照によって本明細書に明確に組み込まれた、ＵＳ２０１０／００４１５７４Ａ１およびＵＳ２０１０／００２２４２７Ａ１に記載されている、特定のポリカーボネート−ポリオルガノシロキサン化合物、ポリウレタン−ポリオルガノシロキサン化合物、および／またはポリ尿素−ポリオルガノシロキサン化合物、または反応性環状炭酸塩および尿素タイプの、その前駆体化合物が挙げられる。
【００９０】
例えば、（ａ）Ｒ１Ｏ［ＣＨ２ＣＨ（ＣＨ３）Ｏ］ｘ［ＣＨ２ＣＨ２Ｏ］ｙ［ＣＨ２ＣＨ（ＣＨ３）］ｚＣＨ２ＣＨ（ＯＨ）Ｒ２、（式中、Ｒ１は、４〜２２個の炭素原子を有する、直鎖状もしくは分枝鎖状の脂肪族炭化水素ラジカルまたはその混合物を表し、Ｒ２は、２〜２６個の炭素原子を有する、直鎖状もしくは分枝鎖状の炭化水素ラジカルまたはその混合物を表し、ｘおよびｚは０〜４０の整数を表し、ｙは少なくとも１５、または１５〜５０の整数を表す）、あるいは、
（ｂ）ＲＯ［ＣＨＣＨ（Ｒａ）Ｏ］ｌ［ＣＨ２ＣＨ２Ｏ］ｍ［ＣＨ２ＣＨ（Ｒ１）Ｏ］ｎＣ（Ｏ）Ｒ２、（式中、Ｒは８〜１６個の炭素原子を有する、分枝鎖状もしくは非分枝鎖状のアルキルラジカルであり、ＲａおよびＲ１は互いに独立して、水素、または１〜５個の炭素原子を有する、分枝鎖状もしくは非分枝鎖状のアルキルラジカルであり、Ｒ２は、５〜１７個の炭素原子を有する、非分枝鎖状アルキルラジカルであり、ｌおよびｎは互いに独立して、１〜５の整数であり、ｍは１３〜３５の整数である）などの非イオン性界面活性剤を用いることによって、乾燥の改善を達成することもできる。好適な材料の例として、Ｐｌｕｒａｆａｃ  ＬＦ７３１またはＰｌｕｒａｆａｃ  ＬＦ−７３１９（ＢＡＳＦ）ならびにＤｅｈｙｑｕａｒｔ  ＣＳＰおよびＰｏｌｙｑｕａｒｔ  ｒａｎｇｅ  （Ｃｏｇｎｉｓ）が挙げられる。
【００９１】
様々な実施形態において、これらの非イオン性界面活性剤は、（ａ）スルホン化ポリマー、または（ｂ）アルコキシル化アルコール、特にＢＡＳＦから市販されているＬｕｔｅｎｓｏｌ  ＴＯ７などの、平均で４〜１０個の、もしくは６〜８個のエトキシレートと共に、アルキル鎖が８〜１４個の炭素原子を有するアルキルエトキシレートの１種または複数と組み合わせて用いられる。
【００９２】
様々な実施形態において、コア洗浄性組成物は、乾燥助剤をコア洗浄性組成物の０．１質量％〜１０質量％、０．５質量％〜５質量％、１質量％〜４質量％の量で含む。全ての値、およびその間の値の範囲もまた、様々な非制限的な実施形態において、本明細書で明確に企図されている。
【００９３】
ケイ酸塩
コア洗浄性組成物はケイ酸塩を含むこともできる。好適なケイ酸塩は、ジケイ酸ナトリウム、メタケイ酸ナトリウム、および結晶性フィロケイ酸塩などのケイ酸ナトリウムである。ケイ酸塩は、コア洗浄性組成物の１質量％〜２０質量％、または５質量％〜１５質量％の量で存在することができる。全ての値、およびその間の値の範囲もまた、様々な非制限的な実施形態において、本明細書で明確に企図されている。
【００９４】
漂白剤
コア洗浄性組成物は漂白剤を含むこともできる。無機漂白剤および有機漂白剤は、本明細書で用いられるのに好適な洗浄活性物質である。無機漂白剤には、過ホウ酸塩、過炭酸塩、過リン酸塩、過硫酸塩、および過ケイ酸塩などの過水和物塩が含まれる。無機過水和物塩は、一般にアルカリ金属塩である。無機過水和物塩は、追加的保護のない結晶性固体として含まれていてもよい。あるいは、塩を被覆することができる。
【００９５】
過炭酸アルカリ金属、特に過炭酸ナトリウムを利用することができる。過炭酸塩は、最も典型的には、製品内安定性をもたらす被覆された形態で製品に組み込まれる。製品内安定性をもたらす好適な被覆材料には、水溶性の、硫酸アルカリ金属および炭酸アルカリ金属の混合塩が挙げられる。混合塩被覆材料の過炭酸塩に対する質量比は、典型的には、１：２００〜１：４、１：９９〜１９、または１：４９〜１：１９である。一実施形態において、混合塩は、一般式（Ｎａ２ＳＯ４）ｎＮａ２ＣＯ３を有する硫酸ナトリウムおよび炭酸ナトリウムのものであり、式中、ｎは０．１〜３、０．２〜１．０、または０．２〜０．５である。
【００９６】
一実施形態において、ＳｉＯ２：Ｎａ２Ｏ比が１．８：１〜３．０：１、またはＬ８：１〜２．４：１であるケイ酸ナトリウム、および／またはメタケイ酸ナトリウムは、無機過水和物塩の質量に対して２％〜１０％（一般に３％〜５％）のＳｉＯ２濃度で適用される。全ての値、およびその間の値の範囲もまた、様々な非制限的な実施形態において、本明細書で明確に企図されている。ケイ酸マグネシウムもまた被覆に含むことができる。ケイ酸塩およびホウ酸塩、ホウ酸、または他の無機物もまた好適である。
【００９７】
ワックス、油、脂肪族石鹸、ペルオキシモノ過硫酸カリウムなどの塩を用いることもできる。典型的な有機漂白剤は、ジアシル過酸化物およびテトラアシル過酸化物、特にジペルオキシドデカンジオン酸、ジペルオキシテトラデカンジオン酸、およびジペルオキシヘキサデカンジオン酸などの有機ペルオキシ酸である。ジベンゾイル過酸化物は、本明細書において典型的な有機ペルオキシ酸である。モノペルアゼライン酸およびジペルアゼライン酸、モノペルブラシル酸およびジペルブラシル酸、およびフタロイルアミノペルオキシカプロン酸も本明細書において好適である。
【００９８】
ジアシル過酸化物、特にジベンゾイル過酸化物は、質量平均粒径０．１〜１００ミクロン、０．５〜３０ミクロン、または１〜１０ミクロンを有する粒子形態で存在することができる。一実施形態において、粒子の少なくとも２５％、少なくとも５０％、少なくとも７５％、または少なくとも９０％が、１０ミクロンよりも小さいか、または６ミクロンよりも小さい。上記粒径範囲内のジアシル過酸化物は、より大きなジアシル過酸化物粒子よりも、使用中に、望ましくない付着および膜形成を最小限にしながら、とりわけプラスチック食器類からより適切にしみを除去することができる。
【００９９】
好適な有機漂白剤のさらなる例にはペルオキシ酸が挙げられ、特定の例には、アルキルペルオキシ酸およびアリールペルオキシ酸がある。典型的な例には、（ａ）ペルオキシ安息香酸およびその環置換誘導体、例えばアルキルペルオキシ安息香酸、およびペルオキシ−α−ナフトエ酸およびモノペルフタル酸マグネシウム、（ｂ）脂肪族ペルオキシ酸または置換脂肪族ペルオキシ酸、例えばペルオキシラウリン酸、ペルオキシステアリン酸、ε−フタルイミドペルオキシカプロン酸［フタロイミノペルオキシヘキサン酸（ＰＡＰ）］、ｏ−カルボキシベンズアミドペルオキシカプロン酸、Ｎ−ノネニルアミドペルアジピン酸、およびＮ−ノネニルアミドペルコハク酸塩、ならびに（ｃ）脂肪族ペルオキシジカルボン酸および芳香脂肪族ペルオキシジカルボン酸、例えば、１，１２−ジペルオキシカルボン酸、１，９−ジペルオキシアゼライン酸、ジペルオキシセバシン酸、ジペルオキシブラシル酸、ジペルオキシフタル酸、２−デシルジペルオキシブタン−１，４−二酸、Ｎ，Ｎ−テレフタロイルジ（６−アミノペルカプロン酸）が挙げられる。
【０１００】
漂白活性剤
コア洗浄性組成物は、漂白活性剤を含むこともできる。漂白活性剤は、典型的には、温度６０℃以下で洗浄中に漂白作用を高める有機過酸前駆体である。本明細書で用いるのに好適な漂白活性剤には、過加水分解条件下で、１〜１０個の炭素原子、特に２〜４個の炭素原子を有する脂肪族ペルオキシカルボン酸（ａｌｉｐｈａｔｉｃ  ｐｅｒｏｘｏｙｃａｒｏｂｏｘｙｌｉｃ  ａｃｉｄ）、および／または任意で、置換過安息香酸をもたらす化合物が挙げられる。好適な化合物は、炭素原子数が特定されたＯ−アシル基および／もしくはＮ−アシル基、ならびに／または任意で置換ベンゾイル基を含む。様々な実施形態において、ポリアシル化アルキレンジアミン、特にテトラアセチルエチレンジアミン（ＴＡＥＤ）、アシル化トリアジン誘導体、特に１，５−ジアセチル−２，４−ジオキソヘキサヒドロ−１，３，５−トリアジン（ＤＡＤＨＴ）、アシル化グリコールウリル、特にテトラアセチルグリコールウリル（ＴＡＧＵ）、Ｎ−アシルイミド、特にＮ−ノナノイルスクシンイミド（ＮＯＳＩ）、アシル化フェノールスルホン酸塩、特にｎ−ノナノイル−オキシベンゼンスルホン酸塩またはイソノナノイルオキシベンゼンスルホン酸塩（ｎ−ＮＯＢＳまたはイソ−ＮＯＢＳ）、無水カルボン酸、特に無水フタル酸、アシル化多価アルコール、特に、トリアセチン、二酢酸エチレングリコール、および２，５−ジアセトキシ−２，５−ジヒドロフラン、さらにアセチルクエン酸トリエチル（ＴＥＡＣ）が好ましい。漂白活性剤を全コア洗浄性組成物の０．１質量％〜１０質量％、または０．５質量％〜２質量％の量で利用することができる。全ての値、およびその間の値の範囲もまた、様々な非制限的な実施形態において、本明細書で明確に企図されている。
【０１０１】
漂白触媒
コア洗浄性組成物は、漂白触媒を含むこともできる。好適な漂白触媒には、マンガントリアザシクロノナン、Ｃｏ、Ｃｕ、Ｍｎ、およびＦｅのビスピリジルアミンおよび関連錯体、ならびにペンタミンアセテートコバルト（ＩＩＩ）および関連錯体が挙げられる。様々な実施形態において、漂白触媒は、コア洗浄性組成物の全質量に対して、０．１〜１０、０．５〜２質量パーセントの量で利用される。全ての値、およびその間の値の範囲もまた、様々な非制限的な実施形態において、本明細書で明確に企図されている。
【０１０２】
金属ケア剤
コア洗浄性組成物は、金属ケア剤を含むこともできる。金属ケア剤は、アルミニウムなどの金属、ステンレス鋼、ならびに銀および銅などの非鉄金属の変色、腐食、または酸化を防止または低減することができる。好適な例には、以下の、（ａ）ベンゾトリアゾール（ｂｅｎｚａｔｒｉａｚｏｌｅ）、例えば、ベンゾトリアゾールまたはビス−ベンゾトリアゾール、および芳香環の可能置換部位が、部分的なまたは完全な置換基、例えば、直鎖状もしくは分枝鎖状のＣ１〜Ｃ２０アルキル基、およびヒドロキシル、チオ、フェニル、またはフッ素、塩素、臭素、およびヨウ素などのハロゲンである化合物など、その置換誘導体、（ｂ）亜鉛、マンガン、チタン、ジルコニウム、ハフニウム、バナジウム、コバルト、ガリウム、およびセリウムの塩および／または各錯体から選択される金属塩または金属錯体、例えば、硫酸Ｍｎ（ＩＩ）、クエン酸Ｍｎ（ＩＩ）、ステアリン酸Ｍｎ（ＩＩ）、アセチル酢酸Ｍｎ（ＩＩ）、Ｋ２ＴｉＦ６、Ｋ２ＺｒＦ６、ＣｏＳＯ４、Ｃｏ（ＮＯ３）２、およびＣｅ（ＮＯ３）３、亜鉛塩、例えば、硫酸亜鉛、亜鉛華、または酢酸亜鉛、ならびに（ｃ）ケイ酸塩、例えば、ケイ酸ナトリウムまたはケイ酸カリウム、二ケイ酸ナトリウム、メタケイ酸ナトリウム、結晶性フィロケイ酸塩、およびその混合物の１種または複数が挙げられる。様々な実施形態において、金属ケア剤は、コア洗浄性組成物の全質量に対して、０．１〜５、０．２〜４、０．３〜３質量パーセントの量で利用される。全ての値、およびその間の値の範囲もまた、様々な非制限的な実施形態において、本明細書で明確に企図されている。
【０１０３】
追加の実施形態
追加の一実施形態において、組成物は、水およびイオン液体（例えば、商品名Ｂａｓｉｏｎｉｃｓ（商標）ＦＳ  ０１でＢＡＳＦから市販されている、トリス（２−ヒドロキシエチル）メチルアンモニウムメチルサルフェート）を含む。関連する追加の実施形態において、組成物は、１種または複数の溶媒（例えば、グリセリン）、１種または複数のキレート剤（例えば、ＢＡＳＦから市販され、メチルグリシン二酢酸（Ｎａ３ＭＧＤＡ）のトリナトリウム塩水溶液であるＴｒｉｌｏｎ  Ｍ  Ｌｉｑｕｉｄ）、１種または複数のポリマー（例えば、ＢＡＳＦから市販され、部分的にナトリウム塩として中和された低分子量ポリアクリル酸であるＳｏｋａｌａｎ  ＰＡ  ２５  ＣＬ  ＰＮ）、１種、２種、または複数の酵素（例えば、商品名Ｓａｖｉｎａｓｅ  Ｕｌｔｒａ  １６  ＬでＮｏｖｏｚｙｍｅｓから市販されているプロテアーゼ液、および商品名Ｓｔａｉｎｚｙｍｅ  Ｐｌｕｓ  １２ＬでＮｏｖｏｚｙｍｅｓから市販されているアミラーゼ液）、ならびに１種または複数のポリマー添加剤（例えば、ポリクオタニウム−９５）を任意で含む。同様の追加の一実施形態において、組成物の全質量に対して、水は１５質量％の量で存在し（かつ水を１種または複数の、以下の成分の全質量パーセントに含むことができ）、イオン液体は５５質量％の量で存在し、溶媒は２０質量％の量で存在し、キレート剤は１７質量％の量で存在し、ポリマーは５質量％の量で存在し、２種の酵素は全量約１．３質量％（例えば、個別に１質量％および０．３質量％）で存在し、ポリマー添加剤は、１．５質量％の量で存在する。他の同様の追加の実施形態において、上記された値の１個または複数は、±０．１、０．５、１、２、３、４、５、６、７、８、９、または１０％で変わることができる。
【０１０４】
水溶性薄膜
封入型洗浄性組成物は、コア洗浄性組成物の周りに設けられた水溶性薄膜も含む。専門用語「水溶性」薄膜は、コア洗浄性組成物の周りに設けられたとき、またはコア洗浄性組成物とは独立して測定されたとき、ＭＳＴＭ  ２０５に準じて蒸留水を用いて４０℃で決定された崩壊時間９０、８５、８０、７５、７０、６５、６０、５５、５０、４５、４０、３５、または３０秒未満を有する薄膜を表す。他の実施形態において、この崩壊時間は、３５℃、３０℃、２５℃、２０℃、１５℃、１０℃、または５℃で評価され、上記値のいずれか、またはその範囲であることができる。様々な追加の実施形態において、上記水溶性薄膜は、コア洗浄性組成物の周りに設けられたとき、またはコア洗浄性組成物とは独立して測定されたとき、ＭＳＴＭ  ２０５に準じて蒸留水を用いて４０℃、３５℃、３０℃、２５℃、２０℃、１５℃、１０℃、または５℃で決定された完全溶解時間１３５、１３０、１２５、１２０、１１５、１１０、１０５、１００、９５、９０、８５、８０、７５、７０、６５、６０、５５、５０、４５、４０、３５、または３０秒未満を有する。
【０１０５】
様々な実施形態において、水溶性薄膜は、以下の物理的特性または以下に示していない物理的特性の１個または複数を有することができる。全ての値、およびその間の値の範囲、および以下の範囲の全てを含む値の範囲は、様々な非制限的な実施形態において、本明細書によって明確に企図されている。以下の値の全ては、秒単位であり、以下に記載の条件に対する、０暴露、１４日間暴露、２８日間暴露、および／または４２日間暴露を含む実施形態へ適用することができる。以下の値の標準偏差は、典型的には０、１、２、３、４、５、６、７、８、９、または１０秒である。
【０１０６】
【表１】
2017528569.tif 000020
【０１０７】
周囲温度および周囲湿度は、約２２℃および約４０％ＲＨである。
【０１０８】
封入型洗浄性組成物はまた、コア洗浄性組成物の周りに設けられた水溶性薄膜も含む。専門用語「水溶性」薄膜は、コア洗浄性組成物の周りに設けられたとき、ＭＳＴＭ  ２０５に準じて蒸留水を用いて４０℃、３５℃、３０℃、２５℃、２０℃、１５℃、１０℃、または５℃で決定された崩壊時間９０、８５、８０、７５、７０、６５、６０、５５、５０、４５、４０、３５、または３０秒未満を有する薄膜を表す。全ての値、ならびに上記値間の値の範囲および上記値を含む値の範囲は、様々な非制限的な実施形態において、本明細書によって明確に企図されている。
【０１０９】
本明細書でＭＳＴＭ  ２０５と称される、以下の試験手順は、固定を維持したままで、水溶性薄膜がバラバラになる（崩壊）のに必要とされる時間、およびそれに続く相対的な溶解時間を決定するのに用いられる。さらに、様々な非制限的な実施形態において、この試験方法に関して、参照によって本明細書に明確に組み込まれた米国特許第６，８２１，５９０号およびその図を参照することができる。
【０１１０】
装置および材料
６００ｍＬビーカー
磁気撹拌器１４（Ｌａｂｌｉｎｅ型番１２５０または同等のもの）
磁気撹拌ロッド１６（５ｃｍ）
温度計（０〜１００℃、±１℃）
ステンレス鋼テンプレート（３．８ｃｍ×３．２ｃｍ）
タイマー（０〜３００秒、最も近い秒に正確である）
ポラロイド（登録商標）３５ｍｍスライドマウント（または同等のもの）
ＭｏｎｏＳｏｌ３５ｍｍスライドマウントホルダー（または同等のもの）
蒸留水
【０１１１】
試験片
【０１１２】
１．ステンレス鋼テンプレート（すなわち、３．８ｃｍ×３．２ｃｍ試験片）を用いて、試料から３個の試験片を切り出す。薄膜ウェブから切り出す場合、試験片を、ウェブの横方向に沿って等間隔の面積で切り出す必要がある。
【０１１３】
２．個別の３５ｍｍスライドマウントに各試験片をロックする。
【０１１４】
３．ビーカーを蒸留水５００ｍＬで満たす。温度計で水温を測定し、必要であれば、２０℃（約６８°Ｆ）で温度を保つように水を加熱または冷却する。
【０１１５】
４．水のカラムの高さに印をつける。ホルダーの底に磁気撹拌器を置く。ビーカーを磁気撹拌器上に置き、磁気撹拌ロッドをビーカーに加え、撹拌器を作動させ、渦が水カラムの高さの約５分の１になるまで、撹拌速度を調整する。渦の深さに印をつける。
【０１１６】
５．スライドマウントの長端部が水面と平行になるように、３５ｍｍスライドマウントをスライドマウントホルダーのワニ口クランプでしっかりと固定する。ホルダーの深さ調整は、落下したとき、クランプの端部が水面の約０．６ｃｍ下になるように設定するべきである。スライドマウントの短側部の一方は、ビーカーの側面のすぐそばに設けられ、他方は、薄膜表面が水の流れに対して垂直になるように、撹拌ロッドの中心に直接配置されるべきである。
【０１１７】
６．１回の動作で、固定されたスライドおよびクランプを水中に落下させ、タイマーを開始する。薄膜がバラバラになると崩壊が生じる。全ての目に見える薄膜がスライドマウントから放出されると、不溶性薄膜断片用に溶液をモニターし続けながら、スライドを水から引き上げる。全ての薄膜断片がもはや見えなくなり、溶液が透明になるとき、溶解が生じる。
【０１１８】
データ記録
結果には以下のものを含むことができる。
【０１１９】
完全な試料識別
個別の、および平均の崩壊時間および溶解時間
試料が試験された水温
気泡およびピンホール検出に関する標準品質制御手順を施すことができる。しかし、こうした品質検査は必要でない場合もある。
【０１２０】
水溶性薄膜は、コア洗浄性組成物の周りに設けられていないとき、独立して測定される場合、様々な、崩壊特性および／または完全溶解特性を有することができると企図される。水溶性薄膜は、コア洗浄性組成物の周りに設けられていないとき、かつコア洗浄性組成物とは独立して評価されるとき、上記崩壊時間を有することができる。
【０１２１】
水溶性薄膜は、コア洗浄性組成物の周りに設けられたとき、温度および湿度の条件を変えて、例えば、２２℃〜３８℃で変化させた温度および１０％〜８０％相対湿度に、例えば、最長６カ月までの様々な日数をかけて暴露させた後、２５℃で６カ月間または６カ月目で依然として安定であることができる。言い換えれば、水溶性薄膜は、こうした期間後完全な状態のままであることができる。様々な実施形態において、水溶性薄膜は、３８℃および８０％相対湿度に、１４、２８、および／または４２日間暴露させた後安定である。他の実施形態において、水溶性薄膜は、３８℃および１０％相対湿度に１４、２８、および／または４２日間暴露させた後安定である。さらに他の実施形態において、当業者に理解されるように、水溶性薄膜は、周囲温度および周囲（相対）湿度に１４、２８、および／または４２日間暴露させた後安定である。様々な実施形態において、周囲温度は、２２℃、２３℃、２４℃、または２５℃であり、周囲（相対）湿度は、３０％、３５％、４０％、４５％、または５０％である。全ての値、ならびに上記値間の値の範囲および上記値を含む値の範囲は、様々な非制限的な実施形態において、本明細書によって明確に企図されている。
【０１２２】
専門用語「安定」は、水溶性薄膜がコア洗浄性組成物の水または任意の他の成分と接触することによって溶解しないことを表す。安定性は、コア洗浄性組成物が漏れないことと同等であることができる（例えば、薄膜が特定の時間完全な状態のままである）。薄膜の安定性／溶解は、典型的にＭＳＴＭ  ２０５に準じて、上記したように視覚的に評価することができる。この視覚的な評価は、当業者に理解されているように、薄葉紙を用いて薄膜を吸い取り、濡れた点を見つけて漏れについて薄膜を調べることによって、ならびに相当な変形、膨潤、または脆性（例えば、自動食洗機内など、水への暴露により即座に破損をもたらす恐れのある）を見つけるために薄膜を処理することによって実施することもできる。典型的には、溶解は、薄膜を介して、または薄膜の外へ、コア洗浄性組成物が漏れる場合／ときに確認される。例えば、溶解は、部分的な漏れがあるときに確認することができ、薄膜の完全な分解だけによる必要はない。あるいは、溶解は、薄膜の完全な溶解、および／または薄膜の分解、および／または封入型洗浄性組成物の大量の漏れがあるときに確認することができる。またさらに、溶解は、水溶性薄膜が、当業者に理解されるように、構造的に損なわれていると考えられる、使われていない可能性がある、および／または商業的に機能してない可能性があるような、封入型洗浄性組成物の相当な変形、膨潤、脆性が十分にある場合に確認することができる。水中に封入型洗浄性組成物を入れる前に、溶解が確認されない／存在しない場合、当業者は、封入型洗浄性組成物が安定であると確認することができる。水溶性薄膜は、コア洗浄性組成物の周りに設けられていないとき、独立して測定されたとき、様々な安定特性／溶解特性を有することができると考えられる。
【０１２３】
他の実施形態において、水溶性薄膜は、以下に示した伸びを有することができ、または様々な伸びを有することができる。全ての値、およびその間の値の範囲、および以下の範囲の全てを含む値の範囲は、様々な非制限的な実施形態において、本明細書によって明確に企図されている。典型的には、伸びは、当業者に理解されるように、ＩＳＯ  ５２７−４またはその同等のものを用いて測定される。以下の値の標準偏差は、典型的には０、１、２、または３単位である。以下の値は、破損での伸び（％）である。
【０１２４】
【表２】
2017528569.tif 000021
【０１２５】
水溶性薄膜には、崩壊時間および安定性時間の上記基準を満たす、任意の水溶性の化合物もしくはポリマーであってもよく、崩壊時間および安定性時間の上記基準を満たす、任意の水溶性の化合物もしくはポリマーを含んでもよく、本質的に崩壊時間および安定性時間の上記基準を満たす、任意の水溶性の化合物もしくはポリマーからなってもよく、または崩壊時間および安定性時間の上記基準を満たす、任意の水溶性の化合物もしくはポリマーからなってもよい。例えば、こうした化合物またはポリマーは、ポリビニルアルコール（ＰＶＡまたはＰＶＯＨ）、ポリ酢酸ビニル、８８〜９８％加水分解されたポリ酢酸ビニル、ゼラチン、およびその組合せであることができる。あるいは、水溶性薄膜は、１つまたは複数の非制限的な実施形態において、それぞれが参照によって本明細書に明確に組み込まれた、ＵＳ４，７６５，９１６またはＵＳ４，９７２，０１７に記載されたものであることができる。様々な実施形態において、水溶性薄膜は熱可塑性である。
【０１２６】
水溶性薄膜は、さらに、水溶性パウチであると定めることができ、上記化合物の任意の１種または複数から形成されてもよく、上記化合物の任意の１種または複数を含んでもよく、上記化合物の任意の１種または複数からなってもよく、上記化合物の任意の１種または複数であってもよく、本質的に上記化合物の任意の１種または複数からなってもよい。水溶性パウチは、１個の嚢、２個の嚢、または複数の嚢のパウチであることができ、コア洗浄性組成物を嚢の１個または複数に設けることができる。あるいは、上記成分の任意の１種または複数を嚢の１個または複数に設けることができる。例えば、一実施形態において、２個の異なる嚢が２種の異なる洗浄剤を含む。２個の嚢が、様々な時間で、同様の、または異なる作用剤の放出を可能にする、同様の、または異なる溶解プロファイルを有することができる。例えば、第１の嚢からの作用剤は、１回目に汚れ除去を助けるために送達され、第２の作用剤は、２回目に、異なる理由のために送達され得る。
【０１２７】
水溶性パウチおよび／または水溶性薄膜は、商品名Ｍ８６３０、Ｍ８３１０、および／またはＭ８９００でＭｏｎｏｓｏｌから市販されている種類のような、ポリビニルアルコールであってもよく、ポリビニルアルコールを含んでもよく、ポリビニルアルコールからなってもよく、または本質的にポリビニルアルコールでからなってもよい。パウチが時間経過と共に安定であるかを評価するために、例えば、組成物を、様々な種類の水溶性薄膜である、Ｍｏｎｏｓｏｌ（水溶性）ＰＶＡパウチＭ８６３０、Ｍ８３１０、および／またはＭ８９００に、独立して封入することができる。言い換えれば、パウチを、コア洗浄性組成物の周りに設けることができる。他の実施形態において、以下のＭｏｎｏｓｏｌ製品：Ａ１２７、Ａ２００、Ｌ３３０、Ｌ３３６、Ｌ３３６  Ｂｌｕｅ、Ｌ７１１、Ｌ７１１  Ｂｌｕｅ、Ｍ１０３０、Ｍ１０３０、Ｍ２０００、Ｍ２６３１Ａ、Ｍ３０３０、Ｍ６０３０、Ｍ７０３０、Ｍ７０３１、Ｍ７０６１、Ｍ８３１０、Ｍ８４４０、Ｍ８５３４、Ｍ８６３０、Ｍ８９００、および／またはＭ９５００を単独で、または互いに組み合わせて、または上記ポリマーのいずれかと組み合わせて、利用することができる。
【０１２８】
水溶性薄膜および／または水溶性パウチは、上記ポリマーの任意の１種または複数の、１個の層、２個の層、３個の層、４個の層、５個の層、５個より多い層であることができる。様々な実施形態において、各層、または層の全ての組合せは、厚さ５〜２００、５〜１００、１０〜９５、１５〜９０、２０〜８５、２５〜８０、３０〜７５、３５〜７０、４０〜６５、４５〜６０、５０〜５５ミクロンを有することができる。さらに他の実施形態において、各層または層の全ての組合せは、厚さ２０、２２、３０、３２、３５、３８、５０、７６、または９０ミクロン、±１、２、３、４、または５ミクロンを有する。全ての値、ならびに上記値間の値の範囲および上記値を含む値の範囲は、様々な非制限的な実施形態において、本明細書によって明確に企図されている。
【０１２９】
本開示は、封入型洗浄性組成物を形成する方法も提供する。様々な実施形態において、方法は、コア洗浄性組成物を用意する工程、およびコア洗浄性組成物の周りに水溶性薄膜を設ける工程を含む。コア洗浄性組成物を用意する工程は、当技術分野で既知の任意のものであってもよい。組成物任意の１種または複数の成分を、コア組成物の任意の１種または複数の他の成分と組み合わせることができる。さらに、水溶性薄膜を設ける工程は、当技術分野で既知の任意のものであってもよい。例えば、水溶性薄膜を設ける工程は、コア洗浄性組成物またはその任意の１種または複数の成分を、水溶性薄膜内に、例えば、水溶性薄膜のパウチ内に、流し込む、装入する、注入する、または置くことを含むことができる。
【０１３０】
本開示はまた、自動投与デバイスにおいて使用するための投与部品も提供し、自動投与デバイスは、洗浄機器、例えば食洗機の中に置かれており、様々な洗浄に送達される複数の封入型コア組成物を保持する。
【実施例】
【０１３１】
一連のコア洗浄性組成物（組成物１〜１９）は、以下に示したように形成される。いくつかは本開示の代表的なものであり、いくつかは比較のものである。 
すすぎ効率
すすぎ効率に関して以下に示した各評価は、パウチを含まない組成物のみのものである。当業者は、この評価において、パウチがすすぎ効率などに影響を及ぼすとは考えられないことを理解されたい。
【０１３２】
組成物および比較の組成物のいくつかは、すすぎ効率を決定するように評価される。すすぎ効率は、以下のミネラル含量を有する硬水を使用するよう改変されたＡＳＴＭ  Ｄ３５５６に準じて評価される。
【０１３３】
【表３】
2017528569.tif 000022
【０１３４】
すすぎ効率評価の結果は、図１〜３に示される。
【０１３５】
組成物の追加の試料は、酵素性能の安定性を決定するために評価される。酵素性能の安定性は、以下の方法によって評価される。
【０１３６】
１．製造業者の指示にしたがって、コニカミノルタ反射率計を較正する。
【０１３７】
２．それぞれ予め汚した皿モニター（ｄｉｓｈ  ｍｏｎｉｔｏｒ）（ＴｅｓｔＭａｔｅｒｉａｌｓ  Ｉｎｃ．から購入された）の３箇所で「Ｌａｂ」色空間座標を測定する。
【０１３８】
３．汚した皿モニターのそれぞれ１個を、食洗機の上部棚と下部棚の両方に、等間隔で所定位置に置く。ステンレス鋼皿モニターホルダーを用いて、モニターを固定する。
【０１３９】
４．実験で示された組成物を供給カップに加える。
【０１４０】
５．食洗機の通常の洗浄サイクルを選択し、都市水源を用いて１サイクル実施する。
【０１４１】
６．皿モニターが完全に乾燥した後、工程２として、それぞれのモニターの３箇所で「Ｌａｂ」色空間座標を測定する。
【０１４２】
７．次式にしたがって、各点の％洗浄を計算する。
ｄＥ＝［（Ｌ（洗浄後）−Ｌ（洗浄前））２＋（ａ（洗浄後）−ａ（洗浄前））２＋（ｂ（洗浄後）−ｂ（洗浄前））２］１／２
％洗浄＝１００ｘｄＥ／［（（９３．９５−Ｌ（洗浄前））２＋（−１−ａ（洗浄前））２＋（２．５６−ｂ（洗浄前））２）１／２］
【０１４３】
８．％洗浄の結果は、時間＝０で報告され、存在する酵素の活性を表す。
【０１４４】
９．洗剤試料を３７℃で３５日間エージングする。
【０１４５】
１０．洗剤試料をエージングした後、組成物を再び試験して、加熱エージングがどのように酵素性能に影響を及ぼすのか、その効果（モニターの％洗浄の減少によって測定される）を観測する。
【０１４６】
酵素性能の安定性の結果を図４に示す。
【０１４７】
組成物１〜１５のそれぞれは、以下により詳細に説明される。
【０１４８】
【表４】
2017528569.tif 000023
【０１４９】
溶媒１はグリセリンである。
【０１５０】
キレート剤１は、ＢＡＳＦから市販され、メチルグリシン二酢酸（Ｎａ３ＭＧＤＡ）のトリナトリウム塩水溶液であるＴｒｉｌｏｎ  Ｍ  Ｌｉｑｕｉｄである。
【０１５１】
ポリマーは、ＢＡＳＦから市販され、部分的にナトリウム塩として中和された低分子量ポリアクリル酸であるＳｏｋａｌａｎ  ＰＡ  ２５  ＣＬ  ＰＮである。
【０１５２】
イオン液体は、商品名Ｂａｓｉｏｎｉｃｓ（商標）ＦＳ  ０１でＢＡＳＦから市販されているトリス（２−ヒドロキシエチル）メチルアンモニウムメチルサルフェートである。
【０１５３】
酵素１は、商品名Ｓａｖｉｎａｓｅ  Ｕｌｔｒａ  １６  ＬでＮｏｖｏｚｙｍｅｓから市販されているプロテアーゼ液である。
【０１５４】
酵素２は、商品名Ｓｔａｉｎｚｙｍｅ  Ｐｌｕｓ  １２ＬでＮｏｖｏｚｙｍｅｓから市販されているアミラーゼ液である。
【０１５５】
【表５】
2017528569.tif 000024
【０１５６】
溶媒は上記された通りである。
【０１５７】
キレート剤１は上記された通りである。
【０１５８】
ポリマーは上記された通りである。
【０１５９】
イオン液体は上記された通りである。
【０１６０】
酵素１は上記された通りである。
【０１６１】
酵素２は上記された通りである。
【０１６２】
【表６】
2017528569.tif 000025
【０１６３】
溶媒は上記された通りである。
【０１６４】
キレート剤１は上記された通りである。
【０１６５】
ポリマーは上記された通りである。
【０１６６】
イオン液体は上記された通りである。
【０１６７】
【表７】
2017528569.tif 000026
【０１６８】
溶媒は上記された通りである。
【０１６９】
キレート剤１は上記された通りである。
【０１７０】
ポリマーは上記された通りである。
【０１７１】
イオン液体は上記された通りである。
【０１７２】
酵素１は上記された通りである。
【０１７３】
酵素２は上記された通りである。
【０１７４】
（比較の）組成物４にイオン液体は存在しない。
【０１７５】
【表８】
2017528569.tif 000027
【０１７６】
溶媒は上記された通りである。
【０１７７】
キレート剤１は上記された通りである。
【０１７８】
ポリマーは上記された通りである。
【０１７９】
イオン液体は上記された通りである。
【０１８０】
酵素１は上記された通りである。
【０１８１】
酵素２は上記された通りである。
【０１８２】
【表９】
2017528569.tif 000028
【０１８３】
溶媒２はプロピレングリコールである。
【０１８４】
キレート剤１は上記された通りである。
【０１８５】
ポリマーは上記された通りである。
【０１８６】
イオン液体は上記された通りである。
【０１８７】
酵素１は上記された通りである。
【０１８８】
酵素２は上記された通りである。
【０１８９】
【表１０】
2017528569.tif 000029
【０１９０】
溶媒は上記された通りである。
【０１９１】
キレート剤１は上記された通りである。
【０１９２】
ポリマーは上記された通りである。
【０１９３】
イオン液体は上記された通りである。
【０１９４】
酵素１は上記された通りである。
【０１９５】
酵素２は上記された通りである。
【０１９６】
ポリマー添加剤は、皿、ガラス、および食器類に生じるしみ形成（ｓｐｏｔｔｉｎｇ）および膜形成を減らすために用いられ、ＩＮＣＩ名ポリクオタニウム−９５である。ポリマー添加剤は、（Ａ）マルトデキストリン４５〜９０質量％、（Ｂ）３−トリメチルアンモニウムプロピルメタクリルアミド塩化物および／またはジメチルジアリルアンモニウム塩化物１０〜４０質量％、ならびに（Ｃ）アクリル酸５〜３０質量％の、フリーラジカル開始グラフト重合であり、全ての質量パーセントは、（Ａ）、（Ｂ）および（Ｃ）の全質量に対するものである。
【０１９７】
【表１１】
2017528569.tif 000030
【０１９８】
溶媒は上記された通りである。
【０１９９】
キレート剤１は上記された通りである。
【０２００】
ポリマーは上記された通りである。
【０２０１】
イオン液体は上記された通りである。
【０２０２】
酵素１は上記された通りである。
【０２０３】
酵素２は上記された通りである。
【０２０４】
【表１２】
2017528569.tif 000031
【０２０５】
溶媒は上記された通りである。
【０２０６】
キレート剤１は上記された通りである。
【０２０７】
ポリマーは上記された通りである。
【０２０８】
イオン液体は上記された通りである。
【０２０９】
酵素１は上記された通りである。
【０２１０】
酵素２は上記された通りである。
【０２１１】
【表１３】
2017528569.tif 000032
【０２１２】
溶媒は上記された通りである。
【０２１３】
キレート剤１は上記された通りである。
【０２１４】
キレート剤２は固体形態のＴｒｉｌｏｎ  Ｍである。
【０２１５】
ポリマーは上記された通りである。
【０２１６】
イオン液体は上記された通りである。
【０２１７】
酵素１は上記された通りである。
【０２１８】
酵素２は上記された通りである。
【０２１９】
【表１４】
2017528569.tif 000033
【０２２０】
溶媒は上記された通りである。
【０２２１】
キレート剤１は上記された通りである。
【０２２２】
キレート剤２は上記された通りである。
【０２２３】
ポリマーは上記された通りである。
【０２２４】
イオン液体は上記された通りである。
【０２２５】
酵素１は上記された通りである。
【０２２６】
酵素２は上記された通りである。
【０２２７】
【表１５】
2017528569.tif 000034
【０２２８】
溶媒は上記された通りである。
【０２２９】
キレート剤１は上記された通りである。
【０２３０】
キレート剤２は上記された通りである。
【０２３１】
ポリマーは上記された通りである。
【０２３２】
イオン液体は上記された通りである。
【０２３３】
酵素１は上記された通りである。
【０２３４】
酵素２は上記された通りである。
【０２３５】
【表１６】
2017528569.tif 000035
【０２３６】
溶媒は上記された通りである。
【０２３７】
キレート剤１は上記された通りである。
【０２３８】
キレート剤２は上記された通りである。
【０２３９】
ポリマーは上記された通りである。
【０２４０】
イオン液体は上記された通りである。
【０２４１】
酵素１は上記された通りである。
【０２４２】
酵素２は上記された通りである。
【０２４３】
【表１７】
2017528569.tif 000036
【０２４４】
溶媒は上記された通りである。
【０２４５】
キレート剤１は上記された通りである。
【０２４６】
キレート剤２は上記された通りである。
【０２４７】
ポリマーは上記された通りである。
【０２４８】
イオン液体は上記された通りである。
【０２４９】
酵素１は上記された通りである。
【０２５０】
酵素２は上記された通りである。
【０２５１】
【表１８】
2017528569.tif 000037
【０２５２】
溶媒は上記された通りである。
【０２５３】
キレート剤１は上記された通りである。
【０２５４】
キレート剤２は上記された通りである。
【０２５５】
ポリマーは上記された通りである。
【０２５６】
イオン液体は上記された通りである。
【０２５７】
酵素１は上記された通りである。
【０２５８】
酵素２は上記された通りである。
【０２５９】
図４に示された比較の組成物は、７ｔｈ  Ｇｅｎｅｒａｔｉｏｎ  Ｐａｃ、Ｃａｓｃａｄｅ  Ｐｌａｔｉｎｕｍ、Ｆｉｎｉｓｈ  Ｇｅｌ  Ｐａｃｓ、Ｆｉｎｉｓｈ  Ｐｏｗｅｒｂａｌｌ  Ｑｕａｎｔｕｍ、Ｓｍａｒｔｙ  Ｄｉｓｈ  Ｄｅｔｅｒｇｅｎｔ、Ｓｍａｒｔｙ  Ｄｉｓｈ  Ｄｅｔｅｒｇｅｎｔ  Ｐｌｕｓ、およびＵｐ  ａｎｄ  Ｕｐである。
【０２６０】
上記され、図１〜３および図４に示された結果により、以下のことが明らかになる。
【０２６１】
図１および図２の結果
これらの図において、しみ形成および膜形成の程度は、１〜５点で測定されている。１点は、ガラス食器にしみおよび膜が全くないことを表し、５点は、ガラスがしみおよび膜に完全に覆われていることを表す。データによれば、様々な組成物、とりわけ組成物１、４、５、６、７、９、１４、および１５が、優れたしみ形成および膜形成の性能を有する。組成物２は、より低い性能のＡＭＰＳポリマーを含むが、まだ許容できると考えられる。組成物３は、酵素を失っている。
【０２６２】
図３の結果
図３において、市販されている洗剤のしみ形成および膜形成の程度が評価される。より詳細には、試験条件は、超硬水および大量の汚れという「最悪の場合」のシナリオの下で、洗剤によって異なるように設計され、必ずしも典型的な消費者経験を反映するものではない。当技術分野では、しみ形成点３以下および膜形成点２以下が、軽く汚れた食器に軟化した都市の水を用いる、一般の消費者にとって適切であると考えられる。図３の棒グラフは積み重なっており、例えば、７ｔｈ  Ｇｅｎｅｒａｔｉｏｎ  Ｐａｃは、しみ形成点２．７５および膜形成点１．３を有する。当技術分野で一般に認められる慣習では、消費者にとって、０．２５より大きい差を含む任意の点が感知可能である。組成物１、３、４、５、６、７、９、１１、１４、および１５は全て、しみ形成点３未満を示し、組成物１、２、４、５、６、７、９、１１、１２、１４、１５は全て、膜形成点２未満を示す。最終的に、製品は、典型的に消費者によってその採択が評価される必要があり、この試験において、より大量のしみ形成および膜形成を有する製品は、一般家庭の使用条件では、異なるように作用する可能性がある。上記組成物は、市販製品と同等のものであるか、または市販製品よりもより良いものである。
【０２６３】
図４の結果
本開示の組成物中の酵素の安定性は、時間０（新規試料）での卵、肉、およびデンプンの汚れを除去する能力を３５日後、３７℃で測定することによって評価される。プロテアーゼは卵および肉を洗浄し、アミラーゼはデンプンを洗浄する。洗浄性能の％損失は、酵素の分解に関連付けることができる。組成物４は、イオン液体を含まず、酵素活性の有意な損失が観測される。組成物４と組成物１とを比較するとき、組成物１対組成物４において唯一の違いは、イオン液体の存在である。
【０２６４】
水溶性薄膜の崩壊
組成物１６〜１９
１０個のパウチ（すなわち、水溶性薄膜パウチ）は、ＭｏｎｏｓｏｌＰＶＡパウチＭ８６３０、Ｍ８３１０、およびＭ８９００のそれぞれを用いて生産される。これらのパウチは、組成物１６〜１９の周りに設けられる。パウチを３つの群（４個のパウチの２つの群、２個のパウチの１つの群）に分ける。各群を、ひとまとめにしてラベルを付けたＨＤＰＥ瓶に装入し、蓋をした後、周囲温度および周囲湿度、３８℃、８０％ＲＨ、または３８℃、１０％ＲＨの試験環境にさらす。３８℃、１０％ＲＨ環境からの試料は、分析のみされ、引き続いて製品を４２日間暴露する。全ての候補は、規格の厚さ７６ミクロン（３ミル）を有する。薄膜溶解試験は、ＭＳＴＭ（ＭｏｎｏＳｏｌ標準試験法）２０５に準じて、２５℃の蒸留水中で行われる。図５〜７に示した結果は、崩壊および完全溶解を開始するのに要する時間、それに続く全ての試験環境内での製品暴露の全体的な評価を例示する。組成物１６〜１９のそれぞれは、以下により詳細に説明され、別段の指示がなければ、全ての値は質量パーセントである。
【０２６５】
【表１９】
2017528569.tif 000038
【０２６６】
溶媒１はグリセリンである。
【０２６７】
キレート剤１は、ＢＡＳＦから市販され、メチルグリシン二酢酸（Ｎａ３ＭＧＤＡ）のトリナトリウム塩水溶液であるＴｒｉｌｏｎ  Ｍ  Ｌｉｑｕｉｄである。
【０２６８】
ポリマーは、ＢＡＳＦから市販され、部分的にナトリウム塩として中和された低分子量ポリアクリル酸であるＳｏｋａｌａｎ  ＰＡ  ２５  ＣＬ  ＰＮである。
【０２６９】
イオン液体は、商品名Ｂａｓｉｏｎｉｃｓ（商標）ＦＳ  ０１でＢＡＳＦから市販されているトリス（２−ヒドロキシエチル）メチルアンモニウムメチルサルフェートである。
【０２７０】
ポリマー２は、ＢＡＳＦから市販され、天然由来の、生分解性親水化ポリマーとして作用する、両性の変性デンプンであるＰｏｌｙｑｕａｒｔ  ＥｃｏＣｌｅａｎである。
【０２７１】
全ての値、ならびに上記値間の値の範囲および上記値を含む値の範囲は、様々な非制限的な実施形態において、本明細書によって明確に企図されている。上記された値の１個または複数は、その変動が本開示の範囲内にある限り、±５％、±１０％、±１５％、±２０％、±２５％などで変わることができる。全ての他のメンバーとは独立して、Ｍａｒｋｕｓｈグループの各メンバーから予期しない結果を得ることができる。各メンバーは、個別に、およびまたは組み合わせて信頼することができ、添付の特許請求の範囲内の、特定の実施形態について十分な支援をもたらす。独立請求項、および単数項従属と多数項従属の両方の従属請求項の、全ての組合せの内容が、本明細書において明確に企図されている。本開示は、限定的なものよりもむしろ説明の記述を含む例示的なものである。本開示の、多くの改変および変更は、上記の教示を鑑みて可能であり、本開示は、本明細書に詳細に記載されたもの以外で実施することができる。
【図１】
2017528569.tif 000039
【図２】
2017528569.tif 000040
【図３】
2017528569.tif 000041
【図４】
2017528569.tif 000042
【図５】
2017528569.tif 000043
【図６】
2017528569.tif 000044
【図７】
2017528569.tif 000045
【国際調査報告】
2017528569.tif 000046
2017528569.tif 000047